【事件の表示】
　特許第３２００７９７号「パチンコ機」の請求項１乃至３に係る特許に対する特許異議の申立てについて、次のとおり決定する。
【結　論】
　訂正を認める。
　特許第３２００７９７号の請求項１乃至３に係る特許を取り消す。
【理　由】
［１］手続の経緯
　 本件特許第３２００７９７号の請求項１〜３に係わる発明は、平成３年６月１４日に特許出願された特願平３−１６８９８１号を分割して、平成１０年６月１５日に新たな特許出願としたものであって、平成１３年６月２２日にその特許権の設定登録がなされ、その後、細江裕実より特許異議申立がなされ、取消しの理由が通知され、その指定期間内である、平成１４年９月２４日に訂正請求がなされたものである。
　　
［２］訂正の適否
　（１）．訂正の内容
訂正事項ａ
　特許請求の範囲の請求項１の記載について、（ア）「遊技盤を分離可能にしたパチンコ機において、」とあるのを、「前記前枠に対して遊技盤を分離可能にしたパチンコ機において、」に、（イ）「前記遊技盤に配設した入賞装置の制御を行なうと共に賞球数信号を送信する遊技盤制御基板」とあるのを「前記遊技盤に配設した入賞装置の制御を行なうと共に賞球数信号を送信し、前記遊技盤の裏面に設けられて内部を透視可能なように透明な合成樹脂ケース内に設けられた遊技盤制御基板」に、（ウ）「前記機構枠体に設けられた開口部に臨ませたことを特徴とするパチンコ機」とあるのを「前記機構枠体に設けられた配線通過口に臨ませたことを特徴とするパチンコ機」と訂正し、
全体を
「外枠に前枠を蝶着すると共に、該前枠の裏面側に少なくとも上タンク及び賞球払出装置を備えた機構枠体を設け、前記前枠に対して遊技盤を分離可能にしたパチンコ機において、
　前記遊技盤に配設した入賞装置の制御を行なうと共に賞球数信号を送信し、前記遊技盤の裏面に設けられて内部を透視可能なように透明な合成樹脂ケース内に設けられた遊技盤制御基板と、
　前記賞球数信号に基づいて賞球払出装置により賞球の払出制御を行なう枠制御基板と、
　プリント配線を施した本体端子板に設けられ、前記賞球数信号に基づく賞球数量情報及び前記上タンクの球切れ情報をホールコンピュータに送信する中継コネクタ端子と、
　前記遊技盤制御基板と接続され、該遊技盤制御基板の遊技情報をホールコンピュータへ送出するための中継接続端子を備えた中継端子板と、を設け
　前記枠制御基板及び本体端子板は前記機構枠体に取り付けられ、
　前記中継端子板の中継接続端子は、前記遊技盤の裏面に設けられたセット板に対して位置決めされた状態で取付けられると共に、前記機構枠体に設けられた配線通過口に臨ませたことを特徴とするパチンコ機。」と訂正する。
訂正事項ｂ
    明細書の段落【０００５】に記載されている、（ア）「遊技盤を分離可能にしたパチンコ機において、」とあるのを「前記前枠に対して遊技盤を分離可能にしたパチンコ機において、」に、（イ）「前記遊技盤に配設した入賞装置の制御を行なうと共に賞球数信号を送信する遊技盤制御基板」とあるのを「前記遊技盤に配設した入賞装置の制御を行なうと共に賞球数信号を送信し、前記遊技盤の裏面に設けられて内部を透視可能なように透明な合成樹脂ケース内に設けられた遊技盤制御基板」に、（ウ）「前記機構枠体に設けられた開口部に臨ませたことを特徴とするパチンコ機」とあるのを「前記機構枠体に設けられた配線通過口に臨ませたことを特徴とするパチンコ機」に訂正する。
　　訂正事項ｃ
　  明細書の段落【００９８】に記載されている、（ア）「遊技盤を分離可能にしたパチンコ機において、」とあるのを「前記前枠に対して遊技盤を分離可能にしたパチンコ機において、」に、（イ）「前記遊技盤に配設した入賞装置の制御を行なうと共に賞球数信号を送信する遊技盤制御基板」とあるのを「前記遊技盤に配設した入賞装置の制御を行なうと共に賞球数信号を送信し、前記遊技盤の裏面に設けられて内部を透視可能なように透明な合成樹脂ケース内に設けられた遊技盤制御基板」に、（ウ）「前記機構枠体に設けられた開口部に臨ませたことを特徴とするパチンコ機」とあるのを「前記機構枠体に設けられた配線通過口に臨ませたことを特徴とするパチンコ機」に訂正する。
　　
　（２）．訂正要件充足性の検討
訂正事項ａ（ア）、（ウ）、及び（イ）は、特許請求の範囲の請求項１の明瞭でない記載の釈明、及び減縮を目的とするものであり、前記（ア）については【０００７】に、前記（ウ）については【００１２】に、及び前記（イ）については【００６０】、【００６７】に記載されているから、当該訂正は前記明瞭でない記載の釈明、及び減縮を目的とした訂正に該当し、また、訂正事項ｂ、ｃは上記訂正事項ａと整合を図るものであるから、明瞭でない記載の釈明を目的とした明細書の訂正に該当し、何れも新規事項の追加には該当せず、実質的に特許請求の範囲を拡張又は変更するものではない。
　　　
　（３）．まとめ
　　したがって、上記訂正は、特許法第１２０条の４第３項において準用する平成６年法法律第１１６号による改正前の特許法第１２６条第１項ただし書き、第２項及び第３項の規定に適合するので、当該訂正を認める。
　　　
［３］特許異議申立についての判断
　（１）．本件発明の認定
　　＜１＞．請求項１に係る発明は、以下のとおり。
　　　前記［２］で示したように前記訂正が認められるものであるから、本件の請求項１に係る発明（以下「本件発明１」という）は、前記訂正に係る訂正明細書の特許請求の範囲の請求項１に記載されたとおりのものである（前記［２］訂正事項ａ参照）。
　　＜２＞．請求項２に係る発明（以下「本件発明２」という）は、以下のとおりである。
　　　配線通過口は、本体端子板に隣接するようにした請求項１に記載のパチンコ機。
　　＜３＞．請求項３に係る発明（以下「本件発明３」という）は、以下のとおりである。
　　　本体端子板には、スピーカへ接続するスピーカ端子または前枠の前面に設けられた外部表示灯へ接続するトップランプ端子を設けた請求項１または２に記載のパチンコ機。
　　　
　（２）．第２９条第２項の検討
　　＜１＞．刊行物記載事項
　　　当審で通知した取消理由に引用された、（Ａ）特開昭６４−５５８０号公報（異議申立人細江裕実が提出した甲第１号証）、（Ｂ）特開平２−２０３８８３号公報（異議申立人細江裕実が提出した甲第６号証）、（Ｃ）実願昭５５−１１８５２７号（実開昭５７−４２８７５号）のマイクロフィルム（異議申立人細江裕実が提出した甲第３号証）、（Ｄ）実願昭６１−３０２３９号（実開昭６２−１４２３８４号）のマイクロフィルム（異議申立人細江裕実が提出した甲第５号証）、及び、本件発明出願前既に頒布された刊行物（周知例として）である、（Ｅ）実願昭６２−１４０１４号（実開昭６３−１２２４６９号）のマイクロフィルム、（Ｆ）実願昭６１−１８４６６０号（実開昭６３−８８３７１号）のマイクロフィルム、（Ｇ）実願昭６１−１０６３６６号（実開昭６３−１３１８８号）のマイクロフィルムには、各々、以下の事項が記載されている。
　　
　　（Ａ）．特開昭６４−５５８０号公報（以下「刊行物Ａ」という）には、以下の事項が記載されている。
　　（Ａ−１）．「発射装置と、入賞装置と、賞球排出装置と、表示装置と、打止め装置と、防犯装置とを有するパチンコ機において、前記発射装置、入賞装置、賞球排出装置、表示装置、打止め装置及び防犯装置にそれぞれ制御回路を設け、前記制御回路を複数の制御基板に分けて設け、前記制御回路間を中継線及びコネクタを介して電気的に連絡したことを特徴とするパチンコ機」（特許請求の範囲）
　　（Ａ−２）．「本発明の目的は、上記欠点を解消して、裏面に取付けられる各部品や装置の邪魔とならず、各制御回路を各装置の最適な位置に配置することができ、無駄なスペースを取らず、制御素子が故障しても制御基板全体を修理する必要がなく、制御基板の交換や修理も容易に行なえ、電気的干渉による誤動作や故障を防止することが可能なパチンコ機を提供することにある。」（第１頁右欄第１７行第２頁〜同頁左上欄第４行）
　　（Ａ−３）．「第１図は本発明の実施例に係わるパチンコ遊技機１の正面図であり、パチンコ遊技機１の基枠２の前面にはガラス板３を設けた金枠４が蝶番により開閉自在に装着され、基枠２にはガラス板３を通して覗かれる遊技盤５が装着されている。」（第２頁左上欄第１８行〜同頁右上欄第２行）
　　（Ａ−４）．「パチンコ遊技機１の裏面には、第２図に示すように、上部に賞球タンク２０が設けられ、賞球タンク２０の下部にはタンクレール２１が傾斜して設けられ、側部には賞品球を貯留する賞球ケース２２が設けられ」（第３頁左上欄第７〜１１行）
　　（Ａ−５）．「パチンコ遊技機１の裏面の中央付近には入賞装置の制御回路を有する電役基板２３が設けられ、電役基板２３の側部には賞球排出装置の制御回路を有するケース基板２４が賞球ケース２２に設けられ、ケース基板２４の上方には打止め装置と表示装置の制御回路に連絡する端子板２５が設けられ、」（第３頁左上欄第１５行〜同頁右上欄第１行）
　　（Ａ−６）．「タンクレール２１の下部には、タンクレール２１上の賞品球が切れて遊技者に賞品球として供給される賞品球が不足するとＯＮする賞品球切れ検出スイッチＳＷ８が設けられ、賞球ケース２２の側部上方には賞球ケース２２内に貯留される賞品球が不足するとＯＮする球切れスイッチＳＷ９が設けられ、端子板２５の下部には賞球ケース２２がセーフ球の発生により作動するとＯＮする賞品球払出検出スイッチとなる賞球ケース連動スイッチＳＷ１０が設けられている。」（第３頁右上欄第７〜１６行）
　　（Ａ−７）．「そして、電役基板２３にはケース基板２４が図示しないコネクタを介して中継線２８により電気的に連絡され、ケース基板２４には賞品球切れ検出スイッチＳＷ８、球切れスイッチＳＷ９、端子板２５、球切りモーターＭ１及び防犯基板２６が図示しないコネクタを介して中継線２９によりそれぞれ電気的に連絡され、」（第３頁左下欄第３〜９行」
　　（Ａ−８）．「第１端子板２５ＡのコネクタＡ１０には球切れスイッチＳＷ９が２本のコードＣＤにより接続され、第１端子板２５ＡのコネクタＡ１１が２本のコードＣＤにより外部の球切れ信号出力に連絡されている」（第４頁左下欄第２〜６行）　　
　　（Ａ−９）．「第２端子板２５ＢのコネクタＧ２にはＧＯフリッカー表示灯１６が２本のコードＣＤにより接続され、第２端子板２５ＢのコネクタＧ３が２本のコードＣＤにより外部の大当り信号出力に連絡されている。」（第４頁右下欄第５〜９行）
　　（Ａ−１０）．「次いで、発射モーターＭ２により発射された遊技球が遊技盤５に設けた複数の入賞装置に入賞すると、球切りモーターＭ１の作動に合わせて賞品球の払出が行なわれ、」（第５頁左下欄第５〜８行）
　　（Ａ−１１）「パチンコ遊技機１の外部のホール側より制御入力を行なう場合には、第１端子板２５ＡのコネクタＡ８に外部より打止め信号として接点入力を入れることにより、」（第６頁左下欄第１６〜１９行）
　
　　（Ｂ）特開平２−２０３８８３号公報（以下「刊行物Ｂ」という）記載事項
　　（Ｂ−１）．「また、裏機構盤２００には、上記賞品球排出装置２２０やオーバーフロー検出器２５５からの検出信号により打球発射の停止、各種表示装置の駆動などパチンコ遊技機全体の電気的な制御を行なうための裏メカ制御装置３００が前記賞品球排出装置２２０と一体的に設置され、遊技盤１００前面の特定入賞口１０８、１０９や変動入賞装置５０の特別入賞口５４等に内蔵された検出器からの検出信号に基づいてそれらの遊技動作を制御する遊技内容（役物）制御装置６００が設置されている。」（第６頁左上欄第１６行〜同頁右上欄第６行）
　　（Ｂ−２）．「また、遊技中（通常遊技、特別遊技共）、変動入賞装置５０の一般入賞口５５中に入賞した遊技球はセーフセンサ１（１２９）に検出されその検出信号が中央処理装置６００Ａに入力されてカウントされた後、そのカウント数がＲＡＭ６０２中に記憶される。その記憶があるときにはＲＯＭ６０１中の固定データとしての賞球数設定手段により多い排出数（例えば、１３個）にセットされる。それがラッチ回路６５１にラッチされ、賞球数出力手段としての賞球数出力器６６３により裏メカ制御装置３００に出力されて、賞品球排出装置２２０による通常数の排出が行われる。
　それ以外の入賞部５６，１０８、１０９、１２０、１２１（変動入賞装置５０の入賞空間５１中以外の入賞部）に入賞したときには賞球数設定器により少ない排出数（例えば、７個）にセットされて賞品球排出装置２２０による少数の排出が行われる。」（第１１頁右上欄第６行〜同頁左下欄第３行）
　　（Ｂ−３）．してみると、刊行物Ｂには以下の事項が記載されている。
　すなわち、遊技動作を制御する遊技内容（役物）制御装置６００が、多い排出数と少ない排出数の２種類ではあるが、賞品球排出装置に賞球数に関する信号を出力することが示されている。
　　　
　　（Ｃ）．実願昭５５−１１８５２７号（実開昭５７−４２８７５号）のマイクロフィルム（以下「刊行物Ｃ」という）記載事項
　　（Ｃ−１）．「現在コイン式パチンコ機は電子部品の発達によって一層趣興に富んだゲーム内容となっているが、その反面、電気・電子部品も増加しその配線が複雑化している。配線の未整理、複雑化は配線が無用に長くなり、コードバインダー等の結束部品の使用量も多くなるなど不経済であるばかりか、玉止りの原因となったり、断線事故を生じ易くなる等の不都合があった。」（第１頁第１４行〜第２頁第１行）
　　（Ｃ−２）．「而して、制御装置２９は所定のゲーム内容を記憶させたコンピュータであり、遊技盤１７の裏面に装着する。」（第５頁第２〜４行）
　　
　　（Ｄ）実願昭６１−３０２３９号（実開昭６２−１４２３８４号）のマイクロフィルム（以下「刊行物Ｄ」という）記載事項
　　（Ｄ−１）．「前面に可変入賞装置が配設され、裏面には前記可変入賞装置を予め定める条件に基づいて駆動制御するための回路基板を収納した基板ボックスが装着された遊技盤と、」（実用新案登録請求の範囲第１〜４行）
　　　
　　（Ｅ）．実願昭６２−１４０１４号（実開昭６３−１２２４６９号）のマイクロフィルム（以下「刊行物Ｅ」という）記載事項
　　（Ｅ−１）．「第１図は本考案の１実施例であるパチンコ遊技機の制御部の拡大斜視図である。第１図において、制御部３は後述する封印紙が貼られたＣＰＵやＲＯＭ等の電子部品と、その電子部品が配置されているプリント基板１０と、電子部品やプリント基板を収納する上部蓋１１ａと底板１１ｂとを有するケース１１とを含む。１２はケース１１内部のプリント基板１０に配置されたＣＰＵやＲＯＭ等に貼られた封印紙の異状の有無や封印番号を検査するために上部蓋１１ａに設けられた透明な観察窓である。」（第６頁第９〜１９行）
　　（Ｅ−２）．「反対に、上部蓋の上面全部を観察窓としたり、上部蓋全体を観察窓としてもよい。また、観察窓として使用する材質は、静電気を帯びない材質で、かつ透明な材質たとえば金属の粉を混ぜた導電性のある樹脂等が好ましい。」（第９頁第１〜５行）
　　　
　　（Ｆ）実願昭６１−１８４６６０号（実開昭６３−８８３７１号）のマイクロフィルム（以下「刊行物Ｆ」という）記載事項
　　（Ｆ−１）．「第３図に示すように遊技盤４の裏面には、可変入賞装置５に入賞した遊技球の通路部９及び一般入賞口８、８へ入賞した遊技球の通路部１０、１０が形成された合成樹脂製の入賞球仕切ユニット板１１が装着される。また、前記通路部９の途中には入賞球を検出するための検出スイッチ１２を設けている。そして、この入賞球仕切ユニット板１１の後面には、中継基板１３が装着される。」（第６頁第１２〜１９行）
　　（Ｆ−２）．「一方、機構板２２に固着された基板ボックス３３内部の回路基板３２からコネクタ４７を介してリード線４８が引き出されており、このリード線４８の先端に取付られたコネクタ４９が入賞球集合カバー１８の開口部２０から露出する中継基板１３のコネクタ接続端子３４に接続される。」（第１０頁第１〜６行）
　　（Ｆ−３）．以上の記載、及び第２図（裏面図）等から判断すると、当該刊行物Ｆには、本件発明のセット板に相当するユニット板１１の後面に装着された中継基板１３の端子が、機構板の開口に露出して配置されていることが示されている。
　　（Ｇ）．実願昭６１−１０６３６６号（実開昭６３−１３１８８号）のマイクロフィルム（以下「刊行物Ｇ」という）記載事項
　　（Ｇ−１）．「その目的とするところは中継端子板に接続されている配線を着脱する作業、及び中継端子板に接続されている配線をチェックする作業等を機構板を組付けたままで容易に行なうことができ」（第３頁第７〜１１行）
　　（Ｇ−２）．以上の記載、及び第１図（背面図）等から判断すると、刊行物Ｇには、中継端子板の端子は機構板の開口に露出して配置されていることが示されている。
　
　　＜２＞．本件発明１と刊行物Ａ記載の発明との対比
　　（Ａ）対比に先だって、本件発明１に記載されている（ア）「セット板」、（イ）「配線通過口」の意義を明らかにしておく。
　　　（ア）．「セット板」に関して
　　　（ア−１）．本件明細書に次の記載が認められる。
　　　　(i)．段落【００４１】に、「・・・。この中継端子板３９はベース本体３５に開設した配線通過口４０に対応する位置に設けてあり、中継端子板３９はセット板１４５にビス３９ａにより止着すると共に、中継端子板３９の裏面に設けた位置決め凸部３９ｂを遊技盤１５の背面に設けた凹部に位置決めした後に、取付孔３９ｃにネジ止めされている。・・・」
　　　　(ii)．段落【００６１】に、「上記遊技盤制御ボックス５１を遊技盤１５の所定位置に着脱自在に止着する取付部材１４１は基枠部材１４３と中継部材１４４とからなり、基枠部材１４３は例えば図３０に示すように遊技盤制御ボックス５１を遊技盤１５から浮かせて他の部材、例えば入賞球誘導路を形成するセット板１４５の邪魔にならないように取り付けると共に、役物中継基板１４２を遊技盤１５の所定位置に配置するための中継手段配置部を形成するものである。」
　　　　(iii)．段落【００６３】に「・・・。また、上記開口領域１５２に隣接して遊技盤１５のセット板１４５から立上げる支柱（図示せず）を止着するための止着領域１５３を形成し、この止着領域１５３にはパチンコ機１の各機種別に設ける支柱に対応するように複数の止着部１５４を設ける。・・・」
　　　　(iv)．段落【００６４】に「・・・。また、中継端子板３９の中継接続端子ＣＮ１と各コネクタ端子ＣＮ１，ＣＮ２，ＣＮ３とをつなぐ配線コード１５８は適宜結束バンド１５９により結束して遊技盤１５またはセット板１４５等に止着して他の部材の邪魔にならないようにするとよい」
　　　　(v)．段落【００９８】【発明の効果】に、「・・・、前記枠制御基板及び本体端子板は前記機構枠体に取り付けられ、前記中継端子板の中継接続端子は前記遊技盤の裏面に設けられたセット板に対して位置決めされた状態で取り付けられると共に、」
　　　（ア−２）．以上の記載から、「セット板」は、遊技盤の裏面に取付けられるもので、例えば、入賞球誘導路を形成するような部材であると認められる。
　　　（イ）．「配線通過口」に関して
　　　（イ−１）．本件明細書に次の記載が認められる。
　　　　(i)．段落【００１２】に、「また、上タンク３１の右側位置には、後述する枠制御回路（基板）とホールコンピュータ等の外部とを電気的に接続する本体端子板３８を配置すると共に、遊技盤１５の裏面側に止着した後述する遊技盤制御回路と外部及び上記本体端子板３８とを電気的に接続する中継端子板３９が臨む配線通過口４０を開設する。」
　　　　(ii)．段落【００３４】に「・・・。また、機構枠体の上タンク３１の側方には、遊技盤制御基板に接続した配線コード等、機構枠体と遊技盤１５との間に通した配線コードを引き出す配線通過口４０が開設してある。」
　　　　(iii)．段落【００４１】に、「・・・。この中継端子板３９はベース本体３５に開設した配線通過口４０に対応する位置に設けてあり、中継端子板３９はセット板１４５にビス３９ａにより止着すると共に、中継端子板３９の裏面に設けた位置決め凸部３９ｂを遊技盤１５の背面に設けた凹部に位置決めした後に、取付孔３９ｃにネジ止めされている。・・・」
　　　（イ−２）．以上の記載から「配線通過口」は、遊技盤１５の裏面側に止着した遊技盤制御回路と外部及び本体端子板３８とを電気的に接続する中継端子板３９の端子が露出する開口であって、ベース本体（機構枠体）に設けられた開口であると認められる。
　
　　（Ｂ）．本件発明１と刊行物Ａに記載された発明との構成部材の対応関係について、
　　（ア）．後者における「基枠２」は、前記（Ａ−３に記載されるように遊技盤を装着するものであるから、前者における「外枠」に相当する。
　　（イ）．後者における「賞球タンク２０」は、前記（Ａ−４）に記載されるようにパチンコ遊技機の裏面上部に設けられる球タンクであり、しかも、本件発明における「機構枠体」が、「尚、この機構枠体はパチンコ機１の背面側における主要部材を前枠２の裏面側に取り付るための部材の総称である」（【００１２】参照）ことから、前者における、機構枠体に設けられた「上タンク」に相当する。
　　（ウ）．後者における「モーターＭ１」は、前記（Ａ−１０）の記載、及び「機構枠体」に関する前記（イ）の記載より、前者における、機構枠体に設けられた「賞球払出装置」に相当する。　　
　　（エ）．前記（Ａ−５）、（Ａ−７）の記載から、後者における「電役基板」は、入賞装置の制御を行い、かつ、賞球排出装置の制御を行うケース基板２４とコネクタを介して中継線で電気的に連絡されているものであるから、前者における「遊技盤に配設した入賞装置の制御を行う遊技盤制御基板」に相当し、さらに、後者における「ケース基板２４」は、前者における「賞球数信号に基づいて賞球払出装置により賞球の払出制御を行う枠制御基板」に相当する。
　　（オ）．後者における「第１端子板２５Ａ」は、前記（Ａ−８）に記載されるように、タンクの球切れ情報を外部に送信するコネクタ端子を備えた端子板であり、しかも外部については、前記（Ａ−１１）の記載からすれば、ホール側からコネクタ端子に信号入力できる装置であること、及び、ホール側では各パチンコ機からセーフ玉、アウト玉数の情報等を収集し、コンピュータ処理していることが一般的であること等を勘案すれば、当該外部はホールコンピュータと認められること、さらには、基板等板状体の配線に際してはプリント配線は周知の事項であることから、「第１端子板２５Ａ」は、球切れ情報をホールコンピュータに送信するプリント配線を施された端子板の点において、前者の「プリント配線を施した本体端子板」に相当する。
　　（カ）．後者における「第２端子板２５Ｂ」は、第３図、及び前記（Ａ−９）の記載から、電役基板、すなわち、遊技制御基板と接続され、遊技情報である大当り信号を外部に送出する為の中継用のコネクタ端子を備えた端子板であり、当該外部とは前記のようにホールコンピュータを指すものであるから、前者における「中継端子板」に相当する。
　　
　　（Ｃ）．本件発明１と刊行物Ａに記載された発明との一致点（ａ）、相違点（ｂ）。
　　　（ａ）．一致点
「外枠に装着された遊技盤の裏面側に少なくとも上タンク及び賞球払出装置を備えた機構枠体を設けたパチンコ機において、
　前記遊技盤に配設した入賞装置の制御を行う遊技盤制御基板と、
　賞球数信号に基づいて賞球払出装置により賞球の払出制御を行う枠制御基板と、
　プリント配線を施した本体端子板に設けられ、前記上タンクの球切れ情報をホールコンピュータに送信する中継コネクタ端子と、
　前記遊技盤制御基板と接続され、該遊技盤制御基板遊技情報をホールコンピュータへ送出するための中継接続端子を備えた中継端子板と、を設け
　前記枠制御基板及び本体端子板は前記機構枠体に取り付けられたことを特徴とするパチンコ機」
　　
　　　（ｂ）．相違点。
　　　（ｂ−１）．パチンコ構成部材としての「外枠」、「前枠」「遊技盤」に関して、前者は「前枠を外枠に蝶着」し、「前枠に対して遊技盤を分離可能」にしているに対し、後者は「前枠」、「遊技盤」の分離等に関しては記載されていない点。
　　　（ｂ−２）．遊技盤制御基板に関して、前者は、「賞球数信号」を送信するものであり、しかも、遊技盤の裏面に設けられて内部を透視可能な合成樹脂ケース内に配設されているのに対し、後者は、当該制御基板に相当する電役基板には賞球数信号に関する記載、およびケースに関する記載は認められない点、
　　　（ｂ−３）．本体端子板を介してホールコンピューターに送る情報出力用の端子として、前者は、賞球数量情報、及び上タンクの球切れ情報の端子について記載されているのに対し、後者では、上タンクの球切れ情報出力用の端子は記載されているが、賞球数量情報については記載されていない点、
　　　（ｂ−４）．中継端子板の「中継接続端子」に関して、前者は、遊技盤の裏面に設けられたセット板に対して位置決めされた状態で取付けられ、しかも、機構枠体に設けられた配線通過口に臨んでいるのに対し、後者は、パチンコ遊技機の裏面に設けられているものであるが、「遊技盤の裏面に設けられたセット板」とは明記されておらず、しかも、配線通過口との関係ついては記載されていない点。
　　（Ｄ）．相違点の検討
　　　相違点（ｂ−１）について、
　　　パチンコ構造として、外枠、前枠、機構枠、遊技盤を備え、前枠を外枠に蝶着し、前枠と遊技盤を分離可能とする構造は、特開昭５９−１０５４７６号公報、実願昭６１−６２８８８（実開昭６２−１７４５７５号）のマイクロフィルム、特開昭６３−３１５０８１号公報、特開平２−２８０７８５号公報、に示されるように本件発明出願前に既に周知のパチンコ構造であり、当該構造を刊行物１の遊技盤、基枠等の構造として採用するか否かは単なる設計的事項である。
　　　相違点（ｂ−２）について、
　　　排出すべき賞球数を賞球排出装置の制御装置に送信する必要が存することはパチンコ遊技機においては周知の技術的事項であり、当該排出すべき賞球数に関する信号を送信する手段として、前記（Ｂ−３）に記載したように、遊技装置を制御する制御装置から、排出すべき賞球数を賞球排出装置の制御装置に送信する手段が刊行物Ｂに示されているから、当該手段を、前記刊行物Ａの遊技装置を制御する電役基板に適用することは当業者が容易に為し得ることであり、適用による効果も格別なものとは認められない。
　　また、遊技制御装置を遊技盤裏面に配設することは、前記（Ｃ−２）、（Ｄ−１）に記載されるように周知の事項であり、さらに、制御装置をケースで覆うこと、及びそのケースとして、内部を透視可能な合成樹脂とすることも、前記（Ｅ−２）に記載されるように周知の事項であり、当該周知事項を用いるか否かは単なる設定的事項である。
　したがって、当該相違点は当業者が容易に為し得る事項である。
　　　相違点（ｂ−３）について、
　　　前記「＜２＞．本件発明１と刊行物Ａ記載の発明との対比」において、対応関係の検討において前記「（Ｂ）（オ）」にも記載したように、ホール側では各パチンコ機からセーフ玉、アウト玉等の情報を収集し、コンピュータ処理していることは一般的に行われていることであるから、各パチンコ機から賞球数量情報をホールコンピューターに伝送するための端子を設けることは、中継用の端子板が周知の事項であるから、当業者容易に為し得ることである。
　しかも、当該端子板として、本体端子板とすることは、本体端子板にはホールコンピュータへ情報伝送用の端子が設けられていることを勘案すれば、同様にホールコンピュータへ賞球数量情報を伝送する端子を配設するに際して、配線の整理の観点、既存の端子板の有効利用等の観点から、当業者が適宜為し得る設計的事項である。
　　　相違点（ｂ−４）について、
　　　遊技盤に設けられ、かつ、入賞球の誘導を行う玉寄せ板、すなわち、本件発明のセット板に中継用の端子板を配設すること、および、当該端子板の端子を機構枠体の開口に露出するように配置すること等は、前記刊行物Ｆ、Ｇに示されるように周知の事項であり、当該事項を採用することは当業者が適宜為し得る程度のことである。
　さらに、中継端子板の中継接続端子の位置決めに関しては、入賞球の誘導路に対して如何様に位置決めするのかその配置関係も記載されていないこと、しかも、一般的に工業製品の製造に際しては、設計図等により各部材の配置が位置決めされることは周知事項であるから、中継端子板の中継接続端子の位置決めは当業者が適宜行う単なる設計的事項である。
　してみると、当該相違点は格別のものとは認められない。
　
　　（Ｄ）．以上のとおり、本件発明１は、前記刊行物に記載された発明に基づいて当業者が容易に発明をすることができたものであるから、特許法第２９条第２項の規定に違反して特許されたものである。
　
　＜３＞本件発明２と刊行物Ａ記載の発明との対比
　　本件発明２は、本件発明１の配線通過口について、その配置個所をさらに「本体端子板に隣接する」と限定したものである。
　そこで、当該限定事項について検討する。
　配線処理手段として、多数のリードを結束して同方向に配線する配線処理手段は、前記（Ｃ−１）、さらには、実願昭５７−１６２２９７号（実開昭５９−４６５８５号）のマイクロフィルムに見られるように周知の配線手段であり、当該配線手段を適用するに当り、両端子板が近接配置されている方が、配線の整理、使用結束部品数等の観点から好都合であることも前記（Ｃ−１）より明らかであるから、中継端子板を設ける位置である配線通過口を本体端子板に近接させることは、当業者が電気部品等の配設状況を勘案して適宜為し得る設計的事項である。
　また、本件発明２において、前記限定事項以外は、当業者が容易に為し得るものであることは、本件発明１について検討した如くである。
　したがって、本件発明２は、前記刊行物に記載された発明に基づいて当業者が容易に発明をすることができたものであるから、特許法第２９条第２項の規定に違反して特許されたものである。
　
　＜４＞．本件発明３と刊行物Ａ記載の発明との対比
　　本件発明は、本件発明１または２の本体端子板の端子についてさらに「スピーカへ接続するスピーカ端子または前枠の前面に設けられた外部表示灯へ接続するトップランプ端子を設けた」と限定したものであるから、当該限定事項について検討する。
　まず、「外部表示灯」の意義を明らかにする。
　本件明細書段落【０００７】に「・・・。更に、前枠２の上縁には外部表示灯２５を設ける。」、同じく段落【００３３】に「・・・、パチンコ機１の前枠２の上縁に設けた外部表示灯２５へ接続するトップランプ端子ＣＮ１０、・・・」と記載され、当該表示灯は、如何なる作用効果を意図する表示であるかに関する記載は認められないから、単に表示灯が存在するする程度のことを表したものと認められる。
　一方、刊行物Ａには、本件発明の本体端子板に相当する第１端子板、及び、球切れ表示灯Ｌ１について次の記載が認められる。
　すなわち、「第１端子板２５ＡのコネクタＡ５より球切れ検出信号が出力され、球切れ表示灯Ｌ１が点灯する」（第５頁右下欄第１〜３行）、及び「パチンコ遊技機１の基枠２の上枠には賞品球が不足すると点灯する球切れ表示灯Ｌ１よりなる表示装置が設けられ、」（第２頁右上欄末行〜左下欄第２行）
　　してみると、前記限定事項は相違点にならないものである。
　また、本件発明３において、前記限定事項以外は当業者が容易に為し得るものであることは、本件発明１、及び２において検討した如くである。
　したがって、本件発明３は、前記刊行物に記載された発明に基づいて当業者が容易に発明をすることができたものであるから、特許法第２９条第２項の規定に反して特許されたものである。
　　　　
［４］むすび
　以上のとおり、本件発明１〜３は、前記刊行物に記載された発明に基づいて当業者が容易に発明をすることができたものであるから、特許法第２９条第２項の規定に違反して特許されたものである。
　よって、特許法等の一部を改正する法律（平成６年法律第１１６号）付則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年４月４日（２００３．４．４）
【訂正の要旨】
▲１▼訂正事項ａ
　特許請求の範囲に係る記載、
「【請求項１】　外枠に前枠を蝶着すると共に、該前枠の裏面側に少なくとも上タンク及び賞球払出装置を備えた機構枠体を設け、遊技盤を分離可能にしたパチンコ機において、
　前記遊技盤に配設した入賞装置の制御を行なうと共に賞球数信号を送信する遊技盤制御基板と、
　前記賞球数信号に基づいて賞球払出装置により賞球の払出制御を行なう枠制御基板と、
　プリント配線を施した本体端子板に設けられ、前記賞球数信号に基づく賞球数量情報及び前記上タンクの球切れ情報をホールコンピュータに送信する中継コネクタ端子と、
　前記遊技盤制御基板と接続され、該遊技盤制御基板の遊技情報をホールコンピュータへ送出するための中継接続端子を備えた中継端子板と、を設け、
　前記枠制御基板及び本体端子板は前記機構枠体に取り付けられ、前記中継端子板の中継接続端子は前記遊技盤の裏面に設けられたセット板に対して位置決めされた状態で取り付けられると共に、前記機構枠体に設けられた開口部に臨ませたことを特徴とするパチンコ機。
　【請求項２】　配線通過口は、本体端子板に隣接するようにした請求項１に記載のパチンコ機
　【請求項３】　本体端子板には、スピーカへ接続するスピーカ端子または前枠の前面に設けられた外部表示灯へ接続するトップランプ端子を設けた請求項１または２に記載のパチンコ機。」を、
　特許請求の範囲の減縮及び明りょうでない記載の釈明を目的として、
「【請求項１】　外枠に前枠を蝶着すると共に、該前枠の裏面側に少なくとも上タンク及び賞球払出装置を備えた機構枠体を設け、
前記前枠に対して
　前記遊技盤に配設した入賞装置の制御を行なうと共に賞球数信号を送信
し、前記遊技盤の裏面に設けられて内部を透視可能なように透明な合成樹脂のケース内に設けられた
　前記賞球数信号に基づいて賞球払出装置により賞球の払出制御を行なう枠制御基板と、
　プリント配線を施した本体端子板に設けられ、前記賞球数信号に基づく賞球数量情報及び前記上タンクの球切れ情報をホールコンピュータに送信する中継コネクタ端子と、
　前記遊技盤制御基板と接続され、該遊技盤制御基板の遊技情報をホールコンピュータへ送出するための中継接続端子を備えた中継端子板と、を設け、
　前記枠制御基板及び本体端子板は前記機構枠体に取り付けられ、前記中継端子板の中継接続端子は前記遊技盤の裏面に設けられたセット板に対して位置決めされた状態で取り付けられると共に、前記機構枠体に設けられた
配線通過口
　【請求項２】　配線通過口は、本体端子板に隣接するようにした請求項１に記載のパチンコ機
　【請求項３】　本体端子板には、スピーカへ接続するスピーカ端子または前枠の前面に設けられた外部表示灯へ接続するトップランプ端子を設けた請求項１または２に記載のパチンコ機。」
と訂正する。
▲２▼訂正事項ｂ
　明細書の【０００５】の項、
「【課題を解決するための手段】
　本発明は、上記に鑑み提案されたもので、請求項１に記載した発明は、外枠に前枠を蝶着すると共に、該前枠の裏面側に少なくとも上タンク及び賞球払出装置を備えた機構枠体を設け、遊技盤を分離可能にしたパチンコ機において、前記遊技盤に配設した入賞装置の制御を行なうと共に賞球数信号を送信する遊技盤制御基板と、前記賞球数信号に基づいて賞球払出装置により賞球の払出制御を行なう枠制御基板と、プリント配線を施した本体端子板に設けられ、前記賞球数信号に基づく賞球数量情報及び前記上タンクの球切れ情報をホールコンピュータに送信する中継コネクタ端子と、前記遊技盤制御基板と接続され、該遊技盤制御基板の遊技情報をホールコンピュータへ送出するための中継接続端子を備えた中継端子板と、を設け、前記枠制御基板及び本体端子板は前記機構枠体に取り付けられ、前記中継端子板の中継接続端子は前記遊技盤の裏面に設けられたセット板に対して位置決めされた状態で取り付けられると共に、前記機構枠体に設けられた開口部に臨ませたものである。
　請求項２に記載した発明は、請求項１の構成に加えて、配線通過口は、本体端子板に隣接するようにしたものである。
　請求項３に記載した発明は、請求項１または２の構成に加えて、本体端子板には、スピーカへ接続するスピーカ端子または前枠の前面に設けられた外部表示灯へ接続するトップランプ端子を設けたものである。」を、
　明りょうでない記載の釈明を目的として、
「【課題を解決するための手段】
　本発明は、上記に鑑み提案されたもので、請求項１に記載した発明は、外枠に前枠を蝶着すると共に、該前枠の裏面側に少なくとも上タンク及び賞球払出装置を備えた機構枠体を設け、
前記前枠に対して
し、前記遊技盤の裏面に設けられて内部を透視可能なように透明な合成樹脂のケース内に設けられた
配線通過口
　請求項２に記載した発明は、請求項１の構成に加えて、配線通過口は、本体端子板に隣接するようにしたものである。
　請求項３に記載した発明は、請求項１または２の構成に加えて、本体端子板には、スピーカへ接続するスピーカ端子または前枠の前面に設けられた外部表示灯へ接続するトップランプ端子を設けたものである。」
と訂正する。
▲３▼訂正事項ｃ
　明細書の【００９８】の項、
「【発明の効果】
　以上要するに本発明は、請求項１に記載した発明は、外枠に前枠を蝶着すると共に、該前枠の裏面側に少なくとも上タンク及び賞球払出装置を備えた機構枠体を設け、遊技盤を分離可能にしたパチンコ機において、前記遊技盤に配設した入賞装置の制御を行なうと共に賞球数信号を送信する遊技盤制御基板と、前記賞球数信号に基づいて賞球払出装置により賞球の払出制御を行なう枠制御基板と、プリント配線を施した本体端子板に設けられ、前記賞球数信号に基づく賞球数量情報及び前記上タンクの球切れ情報をホールコンピュータに送信する中継コネクタ端子と、前記遊技盤制御基板と接続され、該遊技盤制御基板の遊技情報をホールコンピュータへ送出するための中継接続端子を備えた中継端子板と、を設け、前記枠制御基板及び本体端子板は前記機構枠体に取り付けられ、前記中継端子板の中継接続端子は前記遊技盤の裏面に設けられたセット板に対して位置決めされた状態で取り付けられると共に、前記機構枠体に設けられた開口部に臨ませたので、配線が簡略化されると共に接続先が明確になって誤配線を防止する。また、接続先が明確で見えるようになるので、検査もやり易く、不正な改造の防止にも有効である。しかも、遊技盤の組付けが合理的に行えるようになる。従って、組立時及びメンテナンス時の作業性が向上したパチンコ機を提供可能である。」を、
　明りょうでない記載の釈明を目的として、
「【発明の効果】
　以上要するに本発明は、請求項１に記載した発明は、外枠に前枠を蝶着すると共に、該前枠の裏面側に少なくとも上タンク及び賞球払出装置を備えた機構枠体を設け、
前記前枠に対して
し、前記遊技盤の裏面に設けられて内部を透視可能なように透明な合成樹脂のケース内に設けられた
配線通過口
と訂正する。
（５４）【発明の名称】
パチンコ機
（５７）【特許請求の範囲】
　【請求項１】　外枠に前枠を蝶着すると共に、該前枠の裏面側に少なくとも上タンク及び賞球払出装置を備えた機構枠体を設け、
前記前枠に対して
　前記遊技盤に配設した入賞装置の制御を行なうと共に賞球数信号を送信
し、前記遊技盤の裏面に設けられて内部を透視可能なように透明な合成樹脂のケース内に設けられた
　前記賞球数信号に基づいて賞球払出装置により賞球の払出制御を行なう枠制御基板と、
　プリント配線を施した本体端子板に設けられ、前記賞球数信号に基づく賞球数量情報及び前記上タンクの球切れ情報をホールコンピュータに送信する中継コネクタ端子と、
　前記遊技盤制御基板と接続され、該遊技盤制御基板の遊技情報をホールコンピュータへ送出するための中継接続端子を備えた中継端子板と、を設け、
　前記枠制御基板及び本体端子板は前記機構枠体に取り付けられ、前記中継端子板の中継接続端子は前記遊技盤の裏面に設けられたセット板に対して位置決めされた状態で取り付けられると共に、前記機構枠体に設けられた
配線通過口
　【請求項２】　配線通過口は、本体端子板に隣接するようにした請求項１に記載のパチンコ機
　【請求項３】　本体端子板には、スピーカへ接続するスピーカ端子または前枠の前面に設けられた外部表示灯へ接続するトップランプ端子を設けた請求項１または２に記載のパチンコ機。
【発明の詳細な説明】
　【０００１】
　【発明の属する技術分野】
　この発明は、パチンコ機に関し、特に電気機器の配線処理の改良に関するものである。
　【０００２】
　【従来の技術】
　周知のように、近年のパチンコ機は電子化が進み、役物の制御を始め、打球の発射や賞球の排出及び補給、各種情報の表示や効果音の発声、或は打ち込み球数や払い出し球数等の各種データの収集を、マイクロプロセッサーを中心とする制御手段により行っている。この制御手段は、通常、遊技盤の裏面側に止着した回路ボックスに収められて制御装置を構成している。
　【０００３】
　そして、上記のような制御装置は種々開発されており、例えば実開昭６２−６４５７９号公報や実開昭６２−１２２６８１号公報等では、制御基板を収設した回路ボックスの遊技盤に対する取付作業やボックス内部の制御基板とボックス外部の電気機器との接続作業を容易にするために、コネクタ手段を有する取付部材を遊技盤に固定すると共に回路ボックス側にも対応するコネクタ手段を設け、回路ボックスを取付部材に取り付けた際に両コネクタ手段が電気的に結合するようにしてある。
　【０００４】
　【発明が解決しようとする課題】
　しかしながら、従来のパチンコ機における制御装置は、遊技盤に対応して個別に構成しているので、遊技盤を交換する際に本来変更する必要のない打球発射装置や賞球払出装置等に関する制御部分までも交換しなければならず、不経済となっていた。しかも、従来の制御装置は、遊技盤の裏面側に空所を探し、そこに取り付けるようになっているので、大きさや配線等の仕様が遊技盤毎に異なり、設計、変更、交換等の作業が煩雑であった。
　一方、パチンコ機には、効果音を放声するスピーカを内蔵させたり、遊技の興趣を高めるために装飾用の表示灯を外部に設けている。そして、これらの各種電気機器の配線もパチンコ機に接続され、配線を更に複雑なものにしている。
　【０００５】
　【課題を解決するための手段】
　本発明は、上記に鑑み提案されたもので、請求項１に記載した発明は、外枠に前枠を蝶着すると共に、該前枠の裏面側に少なくとも上タンク及び賞球払出装置を備えた機構枠体を設け、
前記前枠に対して
し、前記遊技盤の裏面に設けられて内部を透視可能なように透明な合成樹脂のケース内に設けられた
配線通過口
　請求項２に記載した発明は、請求項１の構成に加えて、配線通過口は、本体端子板に隣接するようにしたものである。
　請求項３に記載した発明は、請求項１または２の構成に加えて、本体端子板には、スピーカへ接続するスピーカ端子または前枠の前面に設けられた外部表示灯へ接続するトップランプ端子を設けたものである。
　【０００６】
　【発明の実施の形態】
　以下、本発明を図面の実施形態について説明すると、図１はパチンコ機１の一部を欠截した正面図であって、窓部を有して額縁状の前枠２の一側を外枠３に開閉可能に蝶着し、上記窓部には金枠４を設け、該金枠４の上方部分にはガラスを装着したガラス枠５を開閉可能に軸着し、上記外枠３及びガラス枠５を施錠装置６で施錠する。また、ガラス枠５の下方部分には上皿７を設けたフロントプレート８等からなる上受皿セット９を設け、前枠２の下方部分には下皿１０を設けた下受皿セット１１を設ける。尚、上記上受皿セット９の裏面側の遊技盤載置台１４には上皿７から後述する打球発射装置１２へ球を一個宛に供給する球送り装置１３やスピーカＳＰが位置する。スピーカ音は上皿７のスリット７′を通して放声する。
　【０００７】
　そして、上記前枠２の窓部には、この窓部を塞ぐように遊技盤載置台１４に載せて交換可能とした遊技盤１５を臨ませる。遊技盤１５の表面側にはガイドレール１６で囲まれる遊技部１７を形成すると共に、当該遊技部１７内に可変表示装置１８や変動入賞装置１９等の各種役物、始動口２０や各種入賞具２１ａ，２１ｂ、風車２２ａ，２２ｂ、或は各種表示灯２３等を配設し、最下位置にアウト口２４を配設する。また、ガイドレール１６の外側で右側の上方部分には完了表示灯（Ｌ２）を、左側の上方部分には賞球表示灯（Ｌ１）を設ける。更に、前枠２の上縁には外部表示灯２５を設ける。
　【０００８】
　上記下受皿セット１１の前面側には後述する打球発射装置１２により遊技部１７に打ち込む打球の飛距離を調整するための操作グリップ２６を設ける。
　【０００９】
　打球発射装置１２は、例えば発射ソレノイド２７を駆動源とし、所定の周期、例えば１分間に９９回供給される駆動パルスにより、発射位置にある球を発射レール２８に沿って遊技部１７内に発射する。打球の飛距離調整は、グリップ２６に内蔵した可変抵抗器の抵抗値を遊技者が操作レバー２６′を操作することにより、発射ソレノイド２７に供給する電圧を調整して行う。尚、グリップ２６にはタッチセンサが設けてあり、このタッチセンサに遊技者が触れていない状態では上記駆動パルスが送出されないようになっている。
　【００１０】
　また、上記発射ソレノイド２７のプランジャの摺動に連動して球送り装置１３が作動し、上皿７に連通する球送り通路を通して発射位置に１個宛に供給する。球送り通路の球入口２９には上皿シャッタ３０を設け、この上皿シャッタ３０を上皿ソレノイド（ＳＯＬ３）により制御する。この上皿ソレノイド（ＳＯＬ３）は、ラッチングソレノイドからなり、当該ソレノイドのプランジャに、リンク機構を介して上皿シャッタ３０を連絡する。リンク機構の各リンク片は適宜フロントプレート８及び遊技盤載置台１４に軸着されている。
　【００１１】
　そして、例えば、後述する上タンク３１が空になって完了基板ユニット３２の完了スイッチ（ＳＷ０）がオフ（”Ｌ”レベル）になると、完了基板３３に設けた完了表示灯（Ｌ２）が点灯し、”Ｌ”レベルが所定時間（例えば４秒）継続すると、プランジャが突出する方向に上皿ソレノイド（ＳＯＬ３）を駆動し、上皿シャッタ３０を閉じる。球の補給が完了して完了スイッチ（ＳＷ０）がオン（”Ｈ”レベル）すると、上皿ソレノイド（ＳＯＬ３）を吸引する方向に駆動して上皿シャッタ３０を開放して、打球発射を可能にする。
　【００１２】
　一方、図２はパチンコ機１の背面図であって、上記前枠２の背面側には、遊技盤１５を着脱自在に収納する皿枠状の金属板からなるリヤプレート（機構板）３４を添設し、このリヤプレート３４の背面側にはベース本体３５等の機構枠体を設ける。尚、この機構枠体はパチンコ機１の背面側における主要部材を前枠２の裏面側に取り付けるための部材の総称である。そして、上記ベース本体３５に向かって左側の上方部分には、賞球を貯留しておく上タンク３１を着脱自在に設けると共に、この上タンク３１に連通して後述する賞球払出装置３６に球を誘導する下タンク３７を設ける。また、上タンク３１の右側位置には、後述する枠制御回路（基板）とホールコンピュータ等の外部とを電気的に接続する本体端子板３８を配置すると共に、遊技盤１５の裏面側に止着した後述する遊技盤制御回路と外部及び上記本体端子板３８とを電気的に接続する中継端子板３９が臨む配線通過口４０を開設する。
　【００１３】
　上記リヤプレート３４には蝶番４１を介して機構枠体の一種である機構枠セット部材４２を開閉可能に蝶着する。この機構枠セット部材４２は閉止時にリヤプレート３４の所定部分を覆う部材であって、上記下タンク３７に連通する賞球樋４３や賞球払出装置３６を形成すると共に、当該賞球払出装置３６が払い出す賞球を賞球出口４４（リヤプレート３４の上皿入口４５）を通して上皿７に導く賞球放出路４６等を形成する。また、上記機構枠セット部材４２には遊技盤１５の後方ほゞ中央部分を覆うリヤカバー４７を形成し、当該リヤカバー４７の下縁部分には入賞球の誘導路４８や入賞球を入賞球処理装置４９に導く整流樋ユニット５０を設ける。更に、上記リヤカバー４７の側方部分には後述する遊技盤制御回路を収設した遊技盤制御ボックス５１に対応する開口窓５２を開設し、該開口窓５２の側縁に沿って配線押え部５３を形成する。
　【００１４】
　上記整流樋ユニット５０は、図７に示す固定側部材５０ａと図８に示す可動側部材５０ｂを蝶着手段５０ｃにより回動可能に組み立てたもので、組立状態においてほゞ横Ｕ字状に曲折する整流路５０′を形成している。
　【００１５】
　固定側部材５０ａは、機構枠セット部材４２に後述するベース板５４と共に固定される部材であって、整流路５０′の下半部分５０′ａを形成する。この固定側部材５０ａは、下面が開放する箱枠状の基部５０ａ１と、図７において基部５０ａ１の右方に延在する取付部５０ａ２と、上記基部５０ａ１の左方に延在すると共に適度な傾斜を有し、上面が開口する樋状部５０ａ３とを有する。樋状部５０ａ３は各断面図に示すように、上流側において開口縁が拡幅すると共に隔壁部５０ａ４の高さが高く、下流端において入賞球処理装置４９の入賞球誘導路５５に連通する。尚、整流路５０′は流下端付近において屈曲し、取付ボス５０ａ５の逃げを設けてある。
　【００１６】
　上記基部５０ａ１の下面側には蝶着手段５０ｃを構成する支軸部材５０ｃ１を止着するための支柱５０ａ６を設けると共に、支軸部材５０ｃ１の軸ピン５０ｃ２の先端部を受け止める受筒部５０ａ７を設ける。また、基部５０ａ１の右方に延設した取付部５０ａ２には適宜リブ５０ａ８を設けてネジを通す通孔５０ａ９を設ける。
　【００１７】
　一方、可動側部材５０ｂは、整流路５０′の上半部分５０′ｂを形成し、上記蝶着手段５０ｃにより固定側部材５０ａに回動自在に軸着される。この可動側部材５０ｂは閉止状態において上記固定側部材５０ａの整流路５０′の下半部分５０′ａの上部を覆う閉止リブ５０ｂ１及び遊技盤１５から流下してくる入賞球を整流路５０′に誘導可能な緩い傾斜を設けた誘導板部５０ｂ２を有している。この可動側部材５０ｂにおける整流路５０′ｂは、ベース板５４側の端部では開口幅は広いが深さは浅く、固定側部材５０ａとの連通部に向かうに従って幅が狭められて一列に整列される。尚、整流路５０′ｂの途中に傾斜が変わる傾斜段部５０ｂ３が設けてある。また、整流路５０′ｂの一方（外側）の立壁部５０ｂ４の上縁にはテーパー部５０ｂ５が設けてあり、入賞球がスムーズに整流路５０′ｂに落下するようになっている。
　【００１８】
　可動側部材５０ｂの基端側には蝶着手段５０ｃの軸ピン５０ｃ２を挿通可能な軸孔５０ｂ６を有する軸受部５０ｂ７を延設する。また、可動側部材５０ｂと固定側部材５０ａとの閉止状態を保持するために、例えば、可動側部材５０ｂの誘導板部５０ｂ２の隅部に透孔５０ｂ８を設けると共に、固定側部材５０ａの対応する位置に突起５０ａ１０を設け、上記透孔５０ｂ８と突起５０ａ１０とを嵌合可能とする。
　【００１９】
　上記のような可動側部材５０ｂと固定側部材５０ａとを回動自在に組み付けるには、支軸部材５０ｃ１の軸ピン５０ｃ２を可動側部材５０ｂの軸孔５０ｂ６から固定側部材５０ａの受筒部５０ａ７に一連に通すと共に、支軸部材５０ｃ１をビスにより支柱５０ａ６に止着すればよい。尚、固定側部材５０ａと可動側部材５０ｂには適宜位置に補強用のリブが設けてある。
　【００２０】
　上記のようにして構成した整流樋ユニット５０は、整流路５０′の幅や深さ及び閉止リブ５０ｂ１の形状を、入賞球が大量に発生した場合であっても球詰まりを起こすことなく、一列且つ一段に整列させて入賞球処理装置４９へ導くように形成してあるが、万一、球詰まりが発生した場合には可動側部材５０ｂを開放して対処することができる。
　【００２１】
　また、上記機構枠セット部材４２には後述する入賞球処理装置４９を形成したベース板５４を設け、入賞球を導く入賞球誘導通路５５や入賞球処理装置４９に作用した入賞球を排出する入賞球排出通路５６を形成する。更に、遊技盤１５に開設したアウト口２４に連通してアウト球を排出するアウト球通路５７を形成し、該アウト球通路５７にはアウト球検出スイッチ５８を臨ませる。尚、上記機構枠セット部材４２を導電性部材で形成し、上記蝶番を介して球に帯電する静電気をリヤプレート３４に逃すようにするとよい。尚、前記導電性部材は機構枠セット部材４２の機枠部４２′のみに形成してもよい。
　【００２２】
　そして、上記ベース板５４には、後述する枠制御回路と賞球払出装置３６とを電気的に接続するコネクタ５９ａを設け、このコネクタ５９ａは当該機構枠セット部材４２を閉止した場合に枠制御ボックス６０に設けたコネクタ５９ｂと互いに嵌合して接続されるように構成する。尚、このコネクタ５９ａにはレバー機構を設けて、このレバー機構によりコネクタ５９ａ，５９ｂ同士の係脱を容易にするとよい。
　【００２３】
　また、ベース板５４には、下皿１０が満杯になって溢れた球によって作動するオーバーフロースイッチ（ＳＷ５）を設ける。このオーバーフロースイッチ（ＳＷ５）は例えば球圧により回動する受圧レバーでフォトセンサーを作動させるものでもよいし、マイクロスイッチによるものでもよい。尚、このベース板５４には後述する賞球払出装置３６に設けた球抜き機構６１を作動させた際に上タンク３１の球をパチンコ機１の外部に排出する球抜き樋６２を形成してある。
　【００２４】
　そして、パチンコ機１の背面図においては、遊技盤１５の裏面側の所定位置、例えば遊技盤１５の裏面に向かって左側部分には、遊技盤１５の前面側に配置する可変表示装置１８や変動入賞装置１９等、主に遊技盤１５に配置した電気機器の制御を行う遊技盤制御回路を形成した遊技盤制御基板を収設する遊技盤制御ボックス５１が現れ、また、上記機構枠セット部材４２から外れた下方位置のリヤプレート３４には、打球発射装置１２、入賞球処理装置４９、賞球払出装置３６等、主にパチンコ機本体側の制御処理を行う枠制御回路を形成した枠制御基板を収設する枠制御ボックス６０が現れている。
　【００２５】
　上記枠制御ボックス６０の前方位置には打球発射装置１２の駆動部や上皿７から球を１個宛に供給する球送り装置１３等を配設する。そして、上記機構枠セット部材４２の下方位置には上皿７から溢れた球を下皿１０へ誘導する流下樋６３を設ける。尚、この流下樋６３は導電性部材で形成し、ビスにてリヤプレート３４に止着することにより球に帯電する静電気をリヤプレート３４に逃すようにするとよい。
　【００２６】
　上タンク３１はベース本体３５に着脱可能に取り付けられており、この上タンク３１には球の残存を検出する検出手段を備える完了基板ユニット３２を着脱自在に設ける。この完了基板ユニット３２は、枠ケース３２′内に検出スイッチと発光ダイオード等を配設した完了基板３３を収設してなる。
　【００２７】
　上記上タンク３１は、上面及び背面側が開口すると共に球落下口６４を有する箱枠状のタンク本体６５をベース本体３５に組み付けてなり、ベース本体３５に設けた止着溝６６にタンク本体６５の縁部６５ａを嵌め付け、ベース本体３５の透孔に通したビスで固定する。尚、組立に際しては、後述する検出部材６７を支軸６８に揺動自在に挿着すると共に導電性のアース板６９を挟着し、ビス７０をリヤプレート３４に螺着して球に帯電する静電気をリヤプレート３４に逃す。また、タンク本体６５の一隅部には図１１に示すように球が滞留しないように誘導リブ７１を設ける。また、アース板６９を挟着する代わりに上タンク３１を導電性部材で形成してもよい。
　【００２８】
　上記検出部材６７は、図１５に示すように配置した完了基板３３に設けた検出スイッチ７２に対して作用し、例えば図１１或は図１４に示すように、扇型のウエイト部６７ａを有し、該ウエイト部６７ａから受圧片６７ｂが下方へ延在すると共に、上方へは検出スイッチ７２のアクチュエータ７２′に当接可能な作動片６７ｃが延在する。そして、この検出部材６７は、上タンク３１内に所定量の球が残存する場合に球圧により起立状態にあり、作動片６７ｃがアクチュエータ７２′に作用している。一方、上タンク３１の球が所定量以下に減少して球圧がなくなると、検出部材６７が検出スイッチ７２の有している復帰バネ（図示せず）の作用でアクチュエータ７２′を回動して検出スイッチ７２のアクチュエータ７２′に対する作動片６７ｃの押圧を解除し、検出スイッチ７２が作動する。尚、検出スイッチ７２はソケット７３を介して２個並設してあり、一方の検出スイッチ７２は球の補給（玉切れ）に関連し、他方の検出スイッチ７２は完了（打止め）に関連する完了スイッチ（ＳＷ０）となる。
　【００２９】
　上記完了基板３３の下縁には、ベース本体３５に設けたコネクタ７４ａに対応するコネクタ７４ｂを設け、完了基板ユニット３２を着脱する際に完了基板３３を電気的に継断可能とする。尚、上記コネクタ７４ｂと検出スイッチ７２或は発光ダイオード７５等とは図１６の配線図のようにプリント配線してある。
　【００３０】
　上記発光ダイオード７５は、完了表示灯（Ｌ２）を構成するもので、当該発光ダイオード７５の発光状態を遊技者が視認可能なように、完了基板３３の遊技盤１５側に配置してある。また、遊技盤１５には表示窓７６を開設すると共に、当該表示窓７６の前面側には着色やダイヤカットを施した完了ケース７７を設ける。尚、この実施形態においては発光ダイオード７５を３個直列に接続してある。
　【００３１】
　上記のような完了基板３３を収設した枠ケース３２′には、弾性変形可能な操作片３２ａを設け、当該操作片３２ａを湾曲させることによりベース本体３５の係止部３５ａに係合する係合片３２ｂを外して、完了基板ユニット３２を着脱可能とする。従って、上記完了基板ユニット３２を交換することで、完了表示灯（Ｌ２）や完了スイッチ（ＳＷ０）の交換を極めて容易に行うことができる。
　【００３２】
　上記上タンク３１の下側に位置して上タンク３１の球落下口６４に連通する下タンク３７は、支軸部３７ａによりベース本体３５に対して手前側に回動可能に止着してあり、この下タンク３７の下流側には賞球払出装置３６が位置する。この下タンク３７は、上タンク３１から不規則に重なり合った状態で流下する球を、一列に整列させると共に、適宜な速度で賞球払出装置３６に球を供給する。尚、この下タンク３７は、通常はロック機構７８ａにより機構枠体に止着されて、球出口３７ｂが機構枠セット部材４２に設けた賞球樋４３の球入口に連通しているが、球詰まり等が発生した場合には、ロック機構７８ａを解除して下タンク３７を支軸部３７ａを支点に開放可能である。また、機構枠セット部材４２は、通常ロック機構７８ｂにより機構枠体に止着されているが、ロック機構７８ｂを解除して機構枠セット部材４２を開放した際には、図示していないスプリングによりストッパ機構３９が作動して、球出口３７ｂを閉止するようになっている。
　【００３３】
　上タンク３１の右方のベース本体３５には本体端子板３８を設ける。この本体端子板３８は外部からの電源を中継したり、ホールコンピュータと各パチンコ機１との間で信号やデータの中継を行う。例えば図１９に示すように、基板の上には、外部電源に接続する電源端子ＣＮ６、ホールコンピュータと各パチンコ機１との間に介在させるリレー基板へ接続するリレー基板中継コネクタ端子ＣＮ５、枠制御基板へ電源を供給する枠制御基板分電端子ＣＮ４、枠制御基板へ接続する枠制御基板中継コネクタ端子ＣＮ１、パチンコ機１の前枠２の上縁に設けた外部表示灯２５へ接続するトップランプ端子ＣＮ１０、効果音等を発声するスピーカＳＰ等へ接続するスピーカ端子ＣＮ９、遊技盤制御基板へ接続する遊技盤制御基板中継コネクタ端子ＣＮ２、遊技盤制御基板へ電源を供給する分電端子ＣＮ３等を配設すると共に、パワースイッチＰＳＷ及びリレーＲＥＬ、該リレーＲＥＬを制御するハイブリッドＩＣ、電源回路中に挿入させたヒューズＦ１，Ｆ２及びヒューズ切れ表示灯ＦＣＬ１，ＦＣＬ２としての発光ダイオードＬＥＤ１，ＬＥＤ２、或は電圧異常状態を表示する電圧異常表示灯ＥＬとしての発光ダイオードＬＥＤ３、ノイズ防止のサージアブソーバ等を配設し、図２０のように適宜プリント配線する。尚、この本体端子板３８には、不正遊技を防止するため、磁気検出スイッチやガラス枠開放スイッチ等を接続する不正検出スイッチ端子を配設してもよい。また、本実施形態のように可変表示装置１８の図柄を停止するストップボタンＳＴＢを本体端子板３８を利用して接続するようにしてもよいし、遊技盤制御基板に直接接続するようにしてもよい。
　【００３４】
　上記のような構成の本体端子板３８は、機構枠体（ベース本体３５）に設けた係止爪３５ｂにより着脱自在に取り付けてあり、後述するカバー８０を被着する。尚、上記係止爪３５ｂは機構枠体と合成樹脂で一体に成型してもよいし、別個に成型して端子板取付部を形成するようにしてもよい。そして、上記本体端子板３８の一隅にプリント配線部を露出させたアース部８１を設けると共に、このアース部８１に通孔８１ａを開設し、該通孔８１ａに通した取付ビスをリヤプレート３４に螺着して本体端子板３８を接地する。また、機構枠体の上タンク３１の側方には、遊技盤制御基板に接続した配線コード等、機構枠体と遊技盤１５との間に通した配線コードを引き出す配線通過口４０が開設してある。
　【００３５】
　本体端子板３８に被着するカバーは、図１８に示すように、半透明樹脂からなるほゞ箱枠状であって、係止爪８０ａ，８０ｂや係止リブ８０ｃにより機構枠体のベース本体３５に着脱自在に構成してあり、表面には主要な部材の説明書きを印刷したプレート８０′が添設してある。尚、このプレート８０′はアルミニウム板からなっており、内部が透視できないようになっているが、前記したヒューズ切れ表示灯ＦＣＬ１，ＦＣＬ２及び電圧異常表示灯ＥＬを形成する発光ダイオードＬＥＤ…に対応する位置には表示口８０ｄ，８０ｅ，８０ｆを開設して当該発光ダイオードＬＥＤ…の発光状態を確認できるようになっている。また、このカバー８０からはパワースイッチＰＳＷの操作レバーが通孔８０ｇを通して外部操作が可能なよう臨んでいる。
　【００３６】
　一方、上記本体端子板３８の遊技盤１５側には、賞球表示灯（Ｌ１）を構成する発光ダイオード８２を設け、この発光ダイオード８２の発光状態を遊技盤１５に開設した表示窓８３から遊技者に可視表示可能とする。また、遊技盤１５の表示窓８３には着色やダイヤカットを施した飾りケース８４を取り付けてある。尚、この実施形態では発光ダイオード８３を３個直列に接続して賞球表示灯（Ｌ１）として充分な光量を得ている。
　【００３７】
　更に、この実施形態では、上記飾りケース８４及び完了ケース７７から遊技盤１５にかけて不正遊技防止のため、ピアノ線等の挿入を阻止する不正防止壁８５を設けてある（図１０参照）。
　【００３８】
　リヤプレート３４の下方部分に設ける枠制御ボックス６０内に収設する枠制御回路は、例えば図２１のブロック図に示すように４ビットＣＰＵを中心として構成すると共に、図２２に示すように各部材が配置してある。即ち、発射ソレノイド２７を停止するグリップ２６に設けたストップボタンＳＴＡに接続するストップボタン接続端子ＣＮ１、ハンドルセットに接続するハンドル接続端子ＣＮ２、電源（この実施形態では本体端子板３８に設けた分電端子）に接続する電源接続端子ＣＮ３、発射ソレノイド２７に接続する発射ソレノイド接続端子ＣＮ４、本体端子板３８に接続する基板接続端子ＣＮ５、完了基板３３に接続する完了基板接続端子ＣＮ６、上皿ソレノイド（ＳＯＬ３）に接続する上皿ソレノイド接続端子ＣＮ７、賞球払出装置３６に接続する賞球払出装置接続端子ＣＮ８が各々配設してある。また、この枠制御基板には、整流回路や検出回路を構成する各種デバイスを適宜配設すると共に、後述する動作状態をコード化して可視表示する２桁の７セグメント発光ダイオードからなるＬＥＤ表示部９０を設けてある。更に、このＬＥＤ表示部９０に隣接して、枠制御回路をリセットするリセットスイッチ（Ｓ１）、ＬＥＤ表示部９０の表示内容を切り換える表示切換スイッチ（Ｓ２）、パチンコ機１内に残存する球を排出する排出スイッチ（Ｓ３）を設ける。
　【００３９】
　上記のような枠制御回路（基板）において、遊技盤制御回路及びホールコンピュータと信号のやり取りを行う部分には、フォトカプラを用いたフォトアイソレーション部を形成して、ノイズに対する保護、信号の電圧レベル差等を考慮してある。即ち、枠制御回路に対して、ホールコンピュータから入力されて強制完了（打止め）用の入力信号であるＨ入力、遊技盤制御回路から供給されてフォトカプラ駆動用電源である＋１２ＶＩＮ入力、遊技盤制御回路に対して出力される賞球問合せ信号であるＩＮＱ出力、遊技盤制御回路から入力される賞球個数信号であるＳＰＵＬＳＥ入力、遊技盤制御回路から入力されて上記ＳＰＵＬＳＥ入力の読み取りを指示するＲＥＡＤＹ入力は、夫々フォトカプラを介して入出力されている（図２１参照）。
　【００４０】
　また、上記のような機構枠体であるベース本体３５″に設けた枠制御回路（基板）と上記本体端子板３８との間の配線コード９１を適宜チューブ９２に挿通し、このチューブ９２をリヤプレート３４に設けた機構枠体であるベース本体３５′に設けたチューブ把持爪９３により止着すると共に、下タンク３７と機構枠体との間を通して止着バンド９４等により配線処理する。
　【００４１】
　遊技盤１５には、前記したように表面側に可変表示装置１８や変動入賞装置１９を配置すると共に、各種の入賞装置や多数の障害釘を配置した遊技部１７を形成するが、裏面側には、前枠２のベース本体３５に設けた本体端子板３８と遊技盤制御回路（基板）とを中継すると共に遊技情報をホールコンピュータ等の外部に中継する中継端子板３９を設ける。この中継端子板３９はベース本体３５に開設した配線通過口４０に対応する位置に設けてあり、中継端子板３９はセット板１４５にビス３９ａにより止着すると共に、中継端子板３９の裏面に設けた位置決め凸部３９ｂを遊技盤１５の背面に設けた凹部に位置決めした後に、取付孔３９ｃにネジ止めされている。尚、３９ｄは配線押えである。前記中継端子板３９には本体端子板３８に接続する雌型の中継接続端子ＣＮ１と、本体端子板３８の分電端子から遊技盤制御回路へ供給する電源を中継する雌型の電源中継接続端子ＣＮ２と、ホールコンピュータ等に送出する遊技情報を中継する雌型の遊技情報中継接続端子ＣＮ３とを有している。そして、上記中継接続端子ＣＮ１には後述する役物中継基板１４２へ結合する配線コード１５８（電源コードを含む）が接続してあり、この中継接続端子ＣＮ１と本体端子板３８の遊技盤制御基板中継コネクタ端子ＣＮ２とを中継コードにより接続する共に、電源中継接続端子ＣＮ２と本体端子板３８の分電端子ＣＮ３とを中継コードにより接続する。このように遊技情報中継接続端子ＣＮ３を遊技盤側に設け、パチンコ機１とホールコンピュータとを接続するリレー基板中継コネクタ端子ＣＮ５を前述した本体端子板３８に、夫々設けることにより、配線の作業性を向上すると共に、配線の状態が外部から容易に識別できるので、不正改造の防止にもなる。
　【００４２】
　賞球払出装置３６は機構枠セット部材４２の上半部分に形成した蛇行状の賞球樋４３に沿って構成される。この賞球樋４３の上流部分には球切れ検出手段１０１を設ける。この球切れ検出手段１０１は、例えば、賞球樋４３の近傍に回動自在に軸着されて一部が賞球樋４３内に嵌入可能な検出レバー１０２と、この検出レバーの回動状態を検出する賞球検出スイッチ（ＳＷ１）とからなり、賞球樋４３内に球が存在する場合には、球圧により上記検出レバーが賞球樋４３外に押し出された状態となるので、この状態を賞球検出スイッチ（ＳＷ１）である光センサ１０３により検出する。そして、該光センサ１０３が送出するパルスを球切れ信号として後述する制御に利用する。尚、賞球が賞球樋４３を連続して流れているときは、球切れ信号が出ないように賞球検出スイッチ（ＳＷ１）と検出レバー１０２とを設定して取り付けてある。これは賞球払出が途切れて賞球払出に時間が掛かることのないようにして、賞球払出のスピード化を図るための配慮である。
　【００４３】
　一方、賞球樋４３の下流部分には払出計数手段１０４を設ける。この払出計数手段１０４は、例えば、球の外径に対応して球を１個宛に受止め可能な凹部１０５を周縁に複数個形成したスプロケット１０６と、このスプロケット１０６に同軸上に位置するラチェット１０７と、同じく同軸上の回転板１０８とを一体に形成し、上記凹部１０５に対応して設けた検出孔１０９及び該検出孔１０９検出する光センサ１１０による賞球計数検出スイッチ（ＳＷ２）とからなり、上記スプロケット１０６の一部を賞球樋４３内に臨ませて当該賞球樋４３内を流下する球をスプロケット１０６の凹部１０５で受け止めた際にスプロケット１０６が回転するようになし、スプロケット１０６の検出孔１０９を上記光センサ１１０（ＳＷ２）によりカウントして賞球樋４３を流下する球、即ち払い出す球を計数する。
　【００４４】
　そして、上記払い出した球が所定数に達した場合に、上記スプロケット１０６の回転を阻止して球の払出しを停止する払出停止機構１１１を形成する。この払出停止機構１１１は、上記ラチェット１０７に係止可能な係止爪１１２と、この係止爪１１２を揺動させる揺動レバー１１３と、この揺動レバー１１３を駆動制御する賞球払出ソレノイド１１４（ＳＯＬ１）とからなる。上記係止爪１１２は揺動レバー１１３と共に支軸に軸着してあり、両者の間にはコイルスプリングを介在させて、通常は当接部同士が当接して一体的に揺動するが、一方に負荷が加わった場合には単独でも揺動可能なように構成してある。
　【００４５】
　上記揺動レバー１１３の中程には賞球払出ソレノイド１１４（ＳＯＬ１）のプランジャを連絡杆１１５を介して連絡する。この賞球払出ソレノイド１１４（ＳＯＬ１）はプランジャの位置を自己保持可能なラッチングソレノイドからなる。上記ラッチングソレノイドはソレノイド取付板１１６を介して賞球ケース枠１１７に止着してあり、ソレノイド取付板１１６にはストッパ１１６ａを屈曲形成し、このストッパ１１６ａにプランジャと連絡杆１１５とを接続する接続リング１１８を係止可能としてプランジャの摺動範囲を規制する。
　【００４６】
　上記のような構成において、賞球払出ソレノイド１１４（ＳＯＬ１）のプランジャが吸引されて揺動レバー１１３が図２５において反時計方向に回動し、係止爪１１２がラチェット１０７に係止した状態では、スプロケット１０６の回転が阻止されているので賞球の払出は行われない。この状態から賞球払出ソレノイド１１４（ＳＯＬ１）を励磁してプランジャを突出させると、傾動レバーが図２４において時計方向に回動して係止爪１１２がラチェット１０７から外れ、スプロケット１０６は自由に回転可能となる。従って、係止爪１１２が外れている間は賞球の払出が可能であり、スプロケット１０６の回転を検出することにより払出数を計数し、払出数に基づいて上記賞球払出ソレノイド１１４（ＳＯＬ１）を制御すれば、即ちプランジャを吸引すれば、傾動レバー１１３が反時計方向に回動して係止爪１１２がラチェット１０７に係止し、スプロケット１０６の回転が停止して賞球の払出を停止する。上記のような構成によれば賞球払出装置３６としての初期の目的を達成することができる。
　【００４７】
　しかし、上記のような構成では、賞球払出ソレノイド１１４（ＳＯＬ１）のプランジャが吸引された位置に復帰しない場合に、大量の賞球払出が行われてしまう虞れがあるので、この実施形態においては、賞球払出制限機構１１９が設けてある。この賞球払出制限機構１１９は、上記したスプロケット１０６とほゞ同様な構成のセフティスプロケット１２０と、このセフティスプロケット１２０の回転に連動する連動車１２１と、この連動車１２１と同軸上に回転自在に軸支した係止車１２２とを有し、上記セフティスプロケット１２０は賞球樋４３の上流部に臨み、当該賞球樋４３を流下する球により回転する。そして、このセフティスプロケット１２０の回転は、当該セフティスプロケット１２０の中央部に設けた小歯車部１２０ａと噛合する連動車１２１の外周部に設けた大歯車部１２１ａにより連動車１２１に伝達され、連動車１２１は適宜減速されて回転する（図２４において矢印のように反時計方向）。
　【００４８】
　上記係止車１２２は、筒状の軸受部１２２ａと、該軸受部１２２ａから放射方向へ板状に延出する第１係止部１２２ｂと、該第１係止部１２２ｂから軸方向に延出する第２係止部１２２ｃとからなる。この係止車１２２は上記軸受部１２２ａにより支軸１２３に遊嵌されており、常態では第１係止部１２２ｂ及び第２係止部１２２ｃの自重により両係止部１２２ａ，１２２ｂを鉛直方向に向けて停止している。
　【００４９】
　一方、上記した連動車１２１の裏面側には係止板部１２１ａが突設してあり、この係止板部１２１ａに上記した係止車１２２の第２係止部１２２ｃが係止可能であり、連動車１２１の矢印方向の回転に伴って、係止板部１２１ａに後方から押されるような形で係止車１２２が同じく矢印方向に回転可能である。
　【００５０】
　更に、上記係止車１２２には回転停止アーム１２４の一端を臨ませる。この回転停止アーム１２４はほゞ「く」字状の部材であって、中央部を揺動自在に軸支すると共に、一端を係止車１２２の第１係止部１２２ｂに臨ませる、他端にリンク機構１２５の連係杆１２６を枢着する。リンク機構１２５は上記連係杆１２６の他に連係アーム１２７を有し、この連係アーム１２７は自由端側を上記連係杆１２６の下端に枢着すると共に、基端は賞球ケース枠１１７の支軸１２７ａに回動自在に軸着してある。そして、連係アーム１２７の自由端の下方には前記した傾動レバー１１３に形成したカム部１１３ａが臨む。尚、上記回転停止アーム１２４と賞球ケース枠１１７との間にはスプリング１２８を張設して回転停止アーム１２４を図２４において時計方向に付勢すると共に、この回転停止アーム１２４の回動範囲をストッパーボス１２９により規制している。
　【００５１】
　従って、賞球払出ソレノイド１１４（ＳＯＬ１）のプランジャが吸引されて傾動レバー１１３が上昇して係止爪１１２がスプロケット１０６に係止している状態では、連係アーム１２７の自由端側を下方から傾動レバー１１３のカム部１１３ａが押し上げ、連係杆１２６を介して回転停止アーム１２４が反時計方向に回動し、当該回転停止アーム１２４の一端は係止車１２２の回転軌跡外に位置し、係止車１２２及び連動車１２１は自由に回転可能となる。
　【００５２】
　一方、賞球払出ソレノイド１１４（ＳＯＬ１）を励磁してプランジャが下方へ突出した状態では、傾動レバー１１３が時計方向に回動するので、係止爪１１２とラチェット１０７との係止が解かれると共に連係アーム１２７の上方への押圧が解かれるので、回転停止アーム１２４がスプリング１２８の付勢により時計方向に回動し、一端が係止車１２２の回転軌跡上に位置する。この状態において賞球払出が実行されると、セフティスプロケット１２０が回転し、このセフティスプロケット１２０の回転は減速されて連動車１２１に伝達される。そして、連動車１２１は係止板部１２１ａにより係止車１２２を反時計方向に回転させるが、この係止車１２２は自由回転可能であるので、上死点を過ぎると自重により連動車１２１に先行して回動し、回転停止アーム１２４の一端に係止する。しかし、正常な賞球払出によれば賞球払出ソレノイド１１４（ＳＯＬ１）のプランジャが吸引されて傾動レバー１１３が上昇し、係止爪１１２とラチェット１０７とが係止すると共に回転停止アーム１２４が戻り回動して一端を係止車１２２の回転軌跡から後退させるので、係止車１２２は自重により下死点まで回動して待機し、連動車１２１の回転を阻害することがない。
　【００５３】
　しかし、係止爪１１２とラチェット１０７との係止が外れた状態において、所定量より多い球が賞球樋４３を通過してセフティスプロケット１２０が回転すると、回転停止レバーの一端に係止した状態の係止車１２２に追い付き、この係止車１２２の第２係止部１２２ｃに連動車１２１の係止板部１２１ａが係止し、連動車１２１の回転が阻止され、セフティスプロケット１２０の回転が阻止されて賞球の払出を停止する。従って、係止爪１１２とスプロケット１０６の係止が外れたままとなってスプロケット１０６の回転が自由になっても、不適正な賞球払出を最低限に押えることが可能である。
　【００５４】
　尚、賞球払出装置３６には、外部操作可能な流路変更部材１３０を設けて球抜き機構６１を形成し、賞球樋４３を直接球抜き樋６２に連通させて上タンク３１の球をパチンコ機１の外部に排出可能としてある。また、上記のような賞球払出装置３６を設けた機構枠セット部材４２は、下タンク３７の先端付近及び枠制御ボックス６０に設けたロック部材７８ｂ，７８ｃによりリヤプレート３４に重合状に閉止される。また、配線押え部５３の縁部に係止爪を備えた係止片７８ｄを延設し、他方、保持部であるベース本体３５′に係止孔７８ｅを設けて上記閉塞時に該係止孔７８ｅに係止片７８ｄを係脱自在にしている。
　【００５５】
　入賞球処理装置４９は、上記賞球払出装置３６の下方に位置する機構枠体の一種であるベース板５４に形成してあり、一端が入賞球誘導通路５５に臨む第１入賞球レバー１３１と、該第１入賞球レバー１３１の下流側に位置し、同じく一端が入賞球誘導通路５５に臨む第２入賞球レバー１３２とを有している。上記第１入賞球レバー１３１はほゞ中程を軸により回動自在に軸支され、一端が通路壁１３３に設けた第１の孔１３３ａを通して入賞球誘導通路５５内に突入して当該入賞球誘導通路５５を流下する入賞球が当接可能である。また、上記第１入賞球レバー１３１の他端にはウエイト部Ｗを設けて入賞球が当接していないときには、当該第１入賞球レバー１３１の上面が第１の孔１３３ａの上縁に接して一端を若干上向きにした位置で停止し、第１入賞球レバー１３１の他端に臨ませた入賞球検出スイッチ１３４（ＳＷ３）が応答しないように配置し、入賞球が一端に当接した場合には下向きに回動して入賞球検出スイッチ１３４（ＳＷ３）がオフするように構成する。
　【００５６】
　また、上記第２入賞球レバー１３２はほゞ中程を軸により回動自在に軸支され、一端が通路壁１３３に設けた第２の孔１３３ｂを通して入賞球誘導通路５５内に突入して当該入賞球誘導通路５５を流下する入賞球が当接可能である。また、上記第２入賞球レバー１３２の他端にはウエイト部Ｗを設けて入賞球が当接していないときには、当該第２入賞球レバー１３２の上面が第２の孔１３３ｂの上縁に接して一端を若干上向きにした位置で停止し、第２入賞球レバー１３２の他端に臨ませた入賞球確認スイッチ１３５（ＳＷ４）が応答しないように配置し、入賞球が一端に当接した場合には下向きに回動して入賞球確認スイッチ１３５（ＳＷ４）がオフするように構成する。
　【００５７】
　一方、上記第１の孔１３３ａ及び第２の孔１３３ｂに対向する位置には、軸１３６′により回動自在に軸着した第１ストッパ１３６を設ける。この第１ストッパ１３６は後述する入賞球ソレノイド１３７（ＳＯＬ２）の駆動により図２８に示す姿勢になったときに、入賞球が第１入賞球レバー１３１に当接する以前に、その入賞球を支えるものである。また、上記第１ストッパ１３６の下方には第２ストッパ１３８を設ける。この第２ストッパ１３８は軸１３８′により回動自在に軸着されるとと共に、上端部分に設けた連係軸１３９を第１ストッパ１３６に開設した長孔１４０に遊嵌してある。また、この第２ストッパ１３８の軸１３８′には図示していないが復帰用のコイルスプリングを巻装して第２ストッパ１３８を付勢する。更に、上記軸１３８′の側方には入賞球ソレノイド１３７（ＳＯＬ２）のプランジャの下端を枢着する。尚、この入賞球ソレノイド１３７（ＳＯＬ２）は自己保持可能なラッチングソレノイドからなる。そして、上記のような構成の入賞球処理装置４９は内部が透視可能なように透明な合成樹脂からなる機構枠セット部材４２の下方のベース板５４に形成してあり、上記入賞球ソレノイド１３７（ＳＯＬ２）のプランジャを機構枠セット部材４２を開放することなく手動により摺動可能なように外部操作ピンが設けてある。
　【００５８】
　次に、上記のような構成の入賞球処理装置４９の作動を簡単に説明すると、パチンコ機１に電源が投入された初期状態においては、入賞球ソレノイド１３７（ＳＯＬ２）が所定時間励磁されて当該ラッチングソレノイドがラッチされるので、プランジャは吸引された図２７の状態となり、第２ストッパ１３８が起立すると共に第１ストッパ１３６が起立して両ストッパ１３６，１３８は入賞球誘導通路５５を流下する入賞球を妨害することがない。そして、入賞球が発生し、この入賞球が第１入賞球レバー１３１に到達すると、この第１入賞球レバー１３１が回動し、入賞球検出スイッチ１３４（ＳＷ３）が例えばオフする。従来の入賞球処理装置４９においては、このオフ信号を賞球排出信号等として作用するが、本実施形態では更に動作を確実にするために、上記入賞球を第１入賞球レバー１３１と第１ストッパ１３６との間に保持し、上記入賞球検出スイッチ１３４（ＳＷ３）のオフが所定時間以上継続した場合に、入賞球ソレノイド１３７（ＳＯＬ２）を所定時間励磁してプランジャを下方へ突出させ、第２ストッパ１３８を回動させて下端を入賞球誘導通路５５内に突出させると共に、第１ストッパ１３６を回動させて上端部を入賞球誘導通路５５内に突出させ、第１入賞球レバー１３１と第１ストッパ１３６との間に保持した入賞球を放球する。
　【００５９】
　放球した球は、第２入賞球レバー１３２を回動させると共に、第２ストッパ１３８により保持される。第２入賞球レバー１３２が回動すると入賞球確認スイッチ１３５（ＳＷ４）がオフすると共に、上記入賞球検出スイッチ１３４（ＳＷ３）がオンする。そして、入賞球検出スイッチ１３４（ＳＷ３）がオンで入賞球確認スイッチ１３５（ＳＷ４）のオフが所定時間継続した場合に、賞球払出装置３６を作動させ、賞球の払出が完了した時点で入賞球ソレノイド１３７（ＳＯＬ２）を所定時間励磁してプランジャを吸引し、第２ストッパ１３８を復帰させて第２入賞球レバー１３２との間に保持した入賞球を放球すると共に、第１ストッパ１３６を復帰させて、１入賞球に関する入賞球処理を終了する。
　【００６０】
　遊技盤制御基板（回路）は後述する遊技盤制御ボックス５１に収設してあり、この遊技盤制御ボックス５１は取付部材１４１及び役物中継基板１４２を有する中継手段を介して遊技盤１５の所定位置に着脱自在に取り付ける。また、遊技盤１５の裏面側に着脱自在に取り付ける役物中継基板１４２には、適宜コネクタ端子ＣＮ…を設けて、中継端子板３９、可変表示装置１８、変動入賞装置１９、各種表示灯等と接続可能とすると共に、遊技盤制御回路と接続可能にする。
　【００６１】
　上記遊技盤制御ボックス５１を遊技盤１５の所定位置に着脱自在に止着する取付部材１４１は基枠部材１４３と中継部材１４４とからなり、基枠部材１４３は例えば図３０に示すように遊技盤制御ボックス５１を遊技盤１５から浮かせて他の部材、例えば入賞球誘導路を形成するセット板１４５の邪魔にならないように取り付けると共に、役物中継基板１４２を遊技盤１５の所定位置に配置するための中継手段配置部を形成するものである。上記基枠部材１４３は、正面図または背面図形状をほゞ矩形に形成した保持板部１４６の外縁から遊技盤１５に向けて脚壁部１４７を立設し、該脚壁部１４７の先端にフランジ状の取付片１４８を設けてなり、該取付片１４８には適宜位置に位置決め手段、例えば位置決めボスを突設し、この位置決めボスを遊技盤１５の適宜位置に設けた位置決め凹部に嵌合させて位置を規制する。尚、図示の実施形態では上側の位置決め凹部を長孔状に開設して微調整可能としている。また、上記取付片１４８の適宜位置に取付透孔…を開設し、この取付透孔に通したビス等を遊技盤１５に止着する。更に、上記脚壁部１４７には必要に応じて配線を通す切欠部や切欠溝を設ける。尚、図示の実施形態における脚壁部１４７は、パチンコ機１の背面側から見て左側面及び底面並びに上面の左半分に形成してあり、右側面及び上右半部分を開放させ、この開放箇所でセット板１４５を跨ぐように位置させている。尚、脚壁部１４７の底面は入賞球の誘導路を兼ねている。
　【００６２】
　上記保持板部１４６には、後述する中継部材１４４を着脱可能に保持する保持部１４９を設ける。この保持部１４９は、図示の実施形態によれば、上縁付近に横架した上保持部１４９ａと、下縁からやや上がった位置に横架した下保持部１４９ｂとからなり、両保持部１４９ａ，１４９ｂの後面側に中継部材１４４の取付舌片１５０が嵌入する。このため、保持板部１４６は全体としてやや凹陥する凹陥部１４６′を有しており、上記上保持部１４９ａは凹陥部１４６′の側縁に立ち上がるリブ部に連設した保持板ベース１５１，１５１の間に横架してある。尚、上保持部１４９ａの上縁には取付舌片１５０が入り易いように面取してあり、また保持板ベース１５１，１５１の上縁の内側角部も面取してある。
　【００６３】
　上記凹陥部１４６′には適宜リブ部を設けて補強すると共に、開口領域１５２を形成する。この開口領域１５２は、遊技盤１５の前面側に臨む表示灯のランプ或はＬＥＤ等の発光手段の交換を行うためのものである。また、上記開口領域１５２に隣接して遊技盤１５のセット板１４５から立上げる支柱（図示せず）を止着するための止着領域１５３を形成し、この止着領域１５３にはパチンコ機１の各機種別に設ける支柱に対応するように複数の止着部１５４を設ける。各止着部１５４はビス等を通す通孔１５４′と、この通孔１５４′を中心とする円形隆出部（図示せず）とからなり、当該円形隆出部の中に支柱を嵌合させて、上記通孔に通したビス等を支柱の端面に止着する。このように、予め止着領域１５３を形成しておくと、機種による設計変更がある場合であっても、設計者は上記止着領域１５３の範囲内で支柱を配置すればよいので、汎用性が高まり実用的である。
　【００６４】
　中継部材１４４は、後述する遊技盤制御ボックス５１の第１コネクタ１５５に対応する第２コネクタ１５６、中継端子板３９の中継接続端子ＣＮ１へ接続した配線コード１５８を接続するコネクタ端子ＣＮ１，ＣＮ２及び電源端子ＣＮ３、各種電気機器（可変表示装置１８，変動入賞装置１９，始動口の始動スイッチ、表示灯のランプ等）へ接続するコネクタ端子ｃｎａ，ｃｎｂ，ｃｎｃ，ｃｎｄ，ｃｎｅ，ｃｎｆ等を設けた役物中継基板１４２と、この役物中継基板１４２を取り付けた添設板１５７とからなる。該添設板１５７は透明樹脂で形成されており、コネクタ端子の役物中継基板１４２の背面側の配線パターンの状態が目視できる。この添設板１５７には上記した基枠部材１４３の保持板部１４６に係合する取付舌片１５０が設けてある。上記役物中継基板１４２は、当該役物中継基板１４２上に設けた各コネクタ端子ＣＮ…及びｃｎ…並びに第２コネクタ端子１５６の間をプリント配線により電気的に接続するためのものである。そして、上記各コネクタ端子ｃｎ…は遊技盤１５に配設した各種電気機器と適宜接続される。尚、図示の実施形態によれば、上記コネクタ端子ｃｎ…の一部を更に役物基板１４２′のコネクタ端子を介して接続している（図５参照）。また、中継端子板３９の中継接続端子ＣＮ１と各コネクタ端子ＣＮ１，ＣＮ２，ＣＮ３とをつなぐ配線コード１５８は適宜結束バンド１５９により結束して遊技盤１５またはセット板１４５等に止着して他の部材の邪魔にならないようにするとよい。
　【００６５】
　従って、上記役物中継基板１４２の中継端子板３９に接続するコネクタ端子ＣＮ…を共通にして各種電気機器に接続するコネクタ端子ｃｎ…を変更可能であるので、上記役物中継基板１４２を変更することにより、遊技盤１５を他の機種に変更しても、パチンコ機本体との電気的整合を取ることができ、パチンコ機本体を共通に使用可能である。
　【００６６】
　また、上記添設板１５７は、本体部の外縁に立上り片を設けると共に、適宜位置に上記立上り片と添設板１５７とに掛けて載置部を設ける。また一側の立上り片には係合片を設け、上記載置部との間に役物中継基板１４２を挟み込み、隅部に設けた固定部にビス等を螺着して役物中継基板１４２を添設板１５７に固定する。尚、上記ビスに変えて立上り片に爪片を設けて係止するようにしてもよい。
　【００６７】
　そして、上記のような添設板１５７の表面側に着脱自在に取り付ける遊技盤制御ボックス５１は、例えば図２９ないし図３２に示すように、深皿状の上ケース１６０と浅皿状の下ケース１６１とからなり、両ケース１６０，１６１は内部を透視可能なように透明な合成樹脂で形成する。また、この遊技盤制御ボックス５１に電磁シールド効果を付与するためシールド部材１６２を添設する。具体的に説明すると、図示の実施形態において、上ケース１６０は、遊技盤１５に取り付けた状態では背面図（パチンコ機１を前から見た場合を正面図として）の形状が縦長なほゞ矩形であって、各側壁部分は中段から平板部に向けてやや縮径する斜面部を経て当該平板部に連なる。尚、斜面部には放熱のために複数の通気孔１６３を開設する。また、一方の側壁部には第１コネクタ１５５が臨む切欠部１６４を設ける。更に、側壁部の内縁には適宜位置に内向きの係止爪を設けて上ケース１６０内に嵌着するシールド部材１６２の端縁を係止させる。
　【００６８】
　シールド部材１６２は導電性を有していればどのような材質でもよいが、加工性やコストの面から鉄板やアルミニウム板などの金属板がよく、これを上ケース１６０とほゞ相似形に成型して上ケース１６０の内面側に嵌装する。尚、シールド部材１６２にも上記上ケース１６０の通気孔１６３に対応する位置に換気孔が設けてある。また、シールド部材１６２の底板部は背抜き状に開口する観察口１６５となっており、この観察口１６５が遊技盤制御ボックス５１の平板部のほゞ全面に亙る透視部を形成する。
　【００６９】
　一方、下ケース１６１も透明な合成樹脂からなり、平板状本体部の一側に第１コネクタ１５５用に切欠状のコネクタ挿通部１６６を設けると共に、内面側（遊技盤制御ボックス５１の内側になる面）の周縁には上記上ケース１６０の内側に嵌合するリブ片を立上げる。また、下ケース１６１には、取付部材１４１に対する遊技盤制御ボックス５１の位置決めや、ガイドのためにガイドボス１６７やガイド片１６８を設ける。ガイドボス１６７は下ケース１６１の取付部の一つを筒状に延設してなり、ガイド片１６８は下ケース１６１の下方部分に棚状に突設してなり、当該ガイド片１６８の先端には引掛爪１６８ａが設けてある。
　【００７０】
　そして、上記下ケース１６１の平板状本体部の外面側（遊技盤制御ボックス５１の外側になる面）には、回路基板の裏面側のシールドを行う平板状のシールド板１６９を着脱自在に設ける。即ち、下ケース１６１の外面側の周縁に、シールド板１６９の肉厚にほゞ等しい比較的高さの低い縁片を設ける。この縁片の適宜位置、例えばコネクタ挿通部１６６を設けない長辺に沿って形成した縁片の一部に、シールド板１６９が係止可能な係止片１７０を設けると共に、コネクタ挿通部１６６側の隅部に係止部材１７１を設けて、上記係止片１７０と係止部材１７１とでシールド板１６９を止着するのである。
　【００７１】
　上記のような下ケース１６１にシールド板１６９を止着するには、当該シールド板１６９の一側を係止片１７０の下に挿入して係止させると共に、係止部材１７１を回動させて押圧部でシールド板１６９を押圧するのである。即ち、額縁の裏蓋を止めるようにしてシールド板１６９を止着するのである。尚、上記ビスは、下ケース１６１と上ケース１６０との止着ばかりではなく、各部材を電気的に導通する役目も果たしており、上記ビスをネジ孔に螺着することにより上ケース１６０のシールド部材１６２が回路基板（遊技盤制御基板）のアース母線と密接して導通すると共に、シールド板１６９が係止部材１７１及びビスを介してシールド部材１６２に導通し、結局、シールド板１６９も回路基板のアース母線と導通する。そして、回路基板からアース線を通してパチンコ店の島の構造材等に接地する。このようにシールド板１６９が着脱できるので、回路基板１７４の裏面側の配線パターンの状態が下ケース１６１を通して目視できる。
　【００７２】
　一方、前記した添設板１５７の下縁の表面側には、遊技盤制御ボックス５１の下ケース１６１に設けたガイド片１６８を載置して遊技盤制御ボックス５１を適正位置に案内する案内棚１７２を設ける。即ち、この案内棚１７２の横幅をガイド片１６８の横幅にほゞ等しく形成して遊技盤制御ボックス５１の左右の位置を規制すると共に、ガイド片１６８の引掛爪１６８ａを案内棚１７２の前縁に設けた掛止縁１７２ａに掛止させて高さ位置を規制することができる。また、遊技盤制御ボックス５１のガイドボス１６７に対応する筒状受部１７３を上縁角部に延設する。従って、遊技盤制御ボックス５１のガイド片１６８を案内棚１７２に載せると、遊技盤制御ボックス５１の上下方向の位置と左右方向の位置が自ずと決るので、この状態で遊技盤制御ボックス５１を遊技盤１５側に押圧すれば、第１コネクタ１５５と第２コネクタ１５６とが嵌合すると共に、ガイドボス１６７が筒状受部１７３内に嵌合するので、遊技盤制御ボックス５１を適正な位置に極めて容易に取り付けることができる。そして、この取付作業の際に、遊技盤制御ボックス５１を不用意に動かして第１コネクタ１５５及び第２コネクタ１５６を痛めることもない。尚、このとき、後述する回路基板に設けた解除レバーが第２コネクタ１５６の端部により押圧されて元に戻る。
　【００７３】
　尚、図面には表示していないが、下ケース１６１の外側面で第１コネクタ１５５の近傍にはストッパ片を設けて、役物中継基板１４２との間隔を確保してある。
　【００７４】
　上記のような遊技盤制御ボックス５１に収納する回路基板（遊技盤制御基板）１７４には可変表示装置１８や変動入賞装置１９等、ゲームに関わる遊技盤制御回路等を形成し、当該回路基板１７４には第１コネクタ１５５として例えば雌型の多ピンコネクタを設ける。このコネクタは解除レバー１７５を有するもので、この解除レバー１７５は両端の回動部をコネクタベース部に軸着してなり、解除レバー１７５を回動させることにより、回動部が役物中継基板１４２に設けた第２コネクタ１５６としての雄型コネクタを押し出すように作用する。また、解除レバー１７５には、突出部１７６が形成してあり、該突出部１７６は第１コネクタ１５５に隣接して設けた電源コネクタＣＮ３の前面に臨み、当該電源コネクタを外さないと解除レバー１７５を操作できないようになっている。従って、電力が遊技盤制御回路等に供給されている状態のときは第１コネクタ１５５を取付部材１４１の第２コネクタ１５６から外すことができないようになっており、遊技盤制御回路を電気的に保護している。
　【００７５】
　そして、遊技盤制御回路を遊技盤１５に配置する各種役物に対応して形成しても、前記した役物中継基板１４２によりパチンコ機本体側との電気的に整合を図ることができ、パチンコ機本体を各種遊技盤１５に広範囲に適用可能となる。
　【００７６】
　次に、上記のような構成のパチンコ機１の動作、主に枠制御回路に関連する動作を説明する。図３３は上記のような構成のパチンコ機１における各基板の結線図であり、図３４に示すフローチャート、図３５はタイミングチャートである。枠制御回路は上記フローチャートに従う処理プログラムにより制御されており、この処理プログラムは１１個のジョブプログラムとタイマ割込プログラムから構成されている。
　【００７７】
　初期プログラム１（ｉｎｉｔ１）は、ＣＰＵの初期設定を行い、初期プログラム２（ｉｎｉｔ２）は枠制御回路の処理プログラムに必要なシステムの初期設定を行う。ＪＯＢ＿Ａは入賞球に関する処理を実行し、ＪＯＢ＿Ｂは完了入力に関する処理を実行し、ＪＯＢ＿Ｄは賞球、アウト球カウントに関する処理を実行し、ＪＯＢ＿Ｅは入賞球排出に関する処理を実行し、ＪＯＢ＿Ｆは発射制御に関する処理を実行し、ＪＯＢ＿ＧはＬＥＤ表示に関する処理を実行し、ＪＯＢ＿Ｈはソレノイドトリガに関する処理を実行し、テストプログラムは各部の動作確認を実行し、ウオッチドグトリガプログラムは誤動作を監視し、タイマ割込プログラムは割込処理を実行する。
　【００７８】
　更に具体的に説明すれば、電源を投入すると、枠制御回路はラッチングソレノイドからなる賞球払出ソレノイドＳＯＬ１、入賞球ソレノイドＳＯＬ２、上皿ソレノイドＳＯＬ３を夫々所定時間例えば５０ｍｓ宛に吸方向へ順次駆動すると共に、ＬＥＤ表示部（９０）に初期化表示”００”を表示する（ｉｎｉｔ２）。
　【００７９】
　遊技者が操作グリップ（２６）を握ってタッチ入力が”Ｌ”になると、１分間に９９回の駆動パルスを発射ソレノイド（２７）に出力して打球の発射が可能になる。尚、上記タッチ入力が”Ｌ”でもオーバーフロースイッチＳＷ５が３秒以上”Ｈ”になると発射パルスを禁止し、また、外部入力から”Ｈ”入力（発射制御信号）を感知している間は発射を禁止している（ＪＯＢ＿Ｆ）。
　【００８０】
　そして、遊技者が発射した打球が入賞口へ入賞した場合には、この入賞球球は遊技盤（１５）の背面側へ取り込まれて球寄せ通路を通って入賞球処理装置（４９）へ導かれる。入賞球処理装置（４９）において、入賞球検出スイッチＳＷ３が入賞球を検出してオンすると、賞球表示灯Ｌ１が点灯し、入賞球ソレノイドＳＯＬ２を突方向へ５０ｍｓ駆動する。この時、入賞球は入賞球検出スイッチＳＷ３の位置から入賞球確認スイッチＳＷ４の位置に移動する。また、枠制御回路は、上記と同時に遊技盤制御回路に対して入賞球の存在を知らせるＩＮＱ信号（賞球問い合わせ信号、入賞球を感知した場合に枠制御回路から遊技盤制御回路に対して出力され、遊技盤制御回路に賞球個数信号であるＳＰＵＬＳＥ信号の送出を促す）を送信する。一方、遊技盤制御回路は、ＲＥＡＤＹ信号（待機信号）と、当該ＲＥＡＤＹ信号と同期してＳＰＵＬＳＥ信号（賞球数信号）を返送する。そして、枠制御回路は上記ＳＰＵＬＳＥ信号に基づいて賞球個数を決定し、この賞球個数をＬＥＤ表示部（９０）に表示する（ＪＯＢ＿Ａ）。尚、上記各信号は本体端子板（３８）及び中継端子板（３９）並びに役物中継端子板（１４２）を経由して枠制御回路と遊技盤制御回路との間で交信される。
　【００８１】
　そして、枠制御回路は賞球検出スイッチＳＷ１が連続して例えば５００ｍｓ以上”Ｈ”であることにより賞球樋に球があることを確認後、賞球払出ソレノイドＳＯＬ１を突方向へ駆動へ５０ｍｓ駆動し、賞球の払出を開始する。
　【００８２】
　賞球個数を賞球計数検出スイッチＳＷ２が読取り、ＳＰＵＬＳＥ信号による個数と一致すると賞球払出ソレノイドＳＯＬ１を吸方向に５０ｍｓ駆動し、賞球の払出を停止する。また、これと同時に入賞球ソレノイドＳＯＬ２を吸方向に５０ｍｓ駆動して入賞球を排出し、更に賞球表示灯Ｌ１を消灯して賞球動作を終了する。尚、賞球検出スイッチＳＷ１が５００ｍｓ以上連続して”Ｈ”の状態を検出しないと賞球の払出を行わず、この状態が３秒以上継続すると、賞球動作を中断して条件が整うまでＬＥＤ表示部（９０）に”Ｅ１”を表示する。そして、賞球検出スイッチＳＷ１が５００ｍｓ連続して”Ｈ”となれば、エラーを解除して賞球動作を再開する。
　【００８３】
　外部から発射制御信号（Ｈ入力）が送られていない”Ｌ”レベルのときに、上タンクに球が無くなり完了スイッチＳＷ０が”Ｌ”になると、完了表示灯Ｌ２が点灯し、完了スイッチＳＷ０のオンが４秒以上続くと上皿ソレノイドＳＯＬ３を突方向へ５０ｍｓ駆動して上皿シャッタ（３０）を閉じ、球の供給を停止する。一方、完了スイッチＳＷ０がオフして”Ｈ”になると、完了表示灯Ｌ２を消灯し、上皿ソレノイドＳＯＬ３を吸方向に５０ｍｓ駆動し、上皿シャッタ（３０）を開放する。尚、外部から発射制御信号（Ｈ入力）が入力されて”Ｈ”レベルのときは、完了スイッチＳＷ０の状態に関係なく完了表示灯Ｌ２を点灯すると共に、発射ソレノイド（２７）の出力を停止する（ＪＯＢ＿Ｂ）。
　【００８４】
　下皿（１０）に球が一杯になってオーバーフロースイッチＳＷ５が３秒以上”Ｈ”（球有り状態）になると、賞球払出し動作を停止する。尚、賞球払出し中に”Ｈ”になると、その回の動作が終了するまでは、賞球払出ソレノイドＳＯＬ１及び入賞球ソレノイドＳＯＬ２は作動する。
　【００８５】
　アウト球通路（５７）に設けたアウト球検出スイッチ（５８）からＯＴ入力として入力されるアウト球の個数と入賞球数（賞球動作回数）とを合算し、合計が１０になる毎にＯＴ信号（アウト球情報）を１パスル（６０ｍｓ）出力する。また、払い出した賞球数を累積し、賞球数が１０個になる毎にＳＫ信号（賞球数量情報）を１パスル（６０ｍｓ）出力する。尚、１０に満たない余り数は、リセットか電源がオフされない限り枠制御回路内の内部メモりに残り、次の賞球数に加算される（ＪＯＢ＿Ｄ）。
　【００８６】
　枠制御基板に設けた排出スイッチＳ３を押すと、賞球払出動作を実行することなく入賞球を全て強制的に排出することができる。即ち、排出スイッチＳ３を２００ｍｓ以上押すと排出モードとなり、賞球払出ソレノイドＳＯＬ１、入賞球ソレノイドＳＯＬ２が吸動作する。そして、入賞球検出スイッチＳＷ３が入賞球を検出して”Ｈ”ならば入賞球ソレノイドＳＯＬ２が突動作を行い、入賞球が入賞球確認ＳＷ４の位置へ移動する。枠制御回路は賞球動作と同様に遊技盤回路に対してＩＮＱ信号を送信し、ＲＥＡＤＹ信号及びＳＰＵＬＳＥ信号の返送を確認する。一方、遊技盤回路はＲＥＡＤＹ信号及びＳＰＵＬＳＥ信号を送信して入賞球記憶を１減算する。入賞球が入賞球検出スイッチＳＷ３から入賞球確認ＳＷ４へ移動したのを確認すると、入賞球ソレノイドＳＯＬ２は吸動作を行い、この吸動作により入賞球が排出され、１個の排出動作が終了する。そして、３秒間入賞球検出スイッチＳＷ３に次の入賞球（排出すべき球）が有るか確認し、入賞球が有れば上記排出動作を繰り返し、入賞球がなければ１秒間待機した後、リセットして排出モードを終了する（ＪＯＢ＿Ｅ）。
　【００８７】
　賞球払出ソレノイドＳＯＬ１、入賞球ソレノイドＳＯＬ２、上皿ソレノイドＳＯＬ３は、次に逆方向の動作が有るまで、５秒間隔で直前に駆動された方向と同じ方向に動作し、動作を確実なものとしている。尚、賞球動作や排出動作等他の動作と重なった場合には他の動作を優先する（ＪＯＢ＿Ｈ）。
　【００８８】
　電源部では入力ＡＣ２４Ｖを全波整流してＤＣ２４Ｖ（脈流）を得ているが、何等かの原因で停電して約ＤＣ１５．５Ｖに低下すると、停電検出部が作動して瞬停検出信号”Ｈ”が出力される。この瞬停検出信号が出力されると、速やかに賞球ソレノイドＳＯＬ１を吸方向に駆動して、誤った賞球動作を防止する（ウオッチドックトリガプログラム）。
　【００８９】
　ＬＥＤ表示部（９０）は、賞球動作中の賞球数を表示すると共に、賞球動作中にエラーが発生した場合には、そのエラー状態に応じて”Ｅ１、Ｅ２、Ｅ３、Ｅ５”を表示する。”Ｅ１”は、賞球検出スイッチＳＷ１の”Ｈ”状態が５００ｍｓ以上連続検出されない場合に３秒後に表示される。このエラーは、上タンク（３１）または下タンク（３７）等に賞球用の球がない場合やこの部分で球詰まりを起こした時に発生する。”Ｅ２”は、遊技盤回路からのＳＰＵＬＳＥ数と賞球計数検出スイッチＳＷ２のカウント数が一致しない場合に３秒後に表示する。このエラーは、払い出そうとした個数に対して実際に払い出した個数が不足した場合、もしくは払い出しが途中で停止した場合に発生する。”Ｅ３”は、入賞球ソレノイドＳＯＬ２が吸動作後、入賞球確認ＳＷ４が”Ｌ”にならないか又は、入賞球ソレノイドＳＯＬ２が突動作後に入賞球検出スイッチＳＷ３が”Ｌ”にならない場合や入賞球確認ＳＷ４が”Ｈ”にならない場合に、３秒後に表示する。このエラーは、入賞球が入賞球検出スイッチＳＷ３又は入賞球確認ＳＷ４の部分で停止して排出されない場合に発生する。”Ｅ５”は、枠制御回路がＩＮＱ信号を送出した後、遊技盤制御回路のＲＥＡＤＹ信号がオンにならないか、オンの後オフにならない場合に、３秒後に表示する。このエラーは、遊技盤制御回路が接続されていないか、もしくは接続不良の場合に発生する。そして、エラー状態が復帰すると、ＬＥＤ表示部（９０）は賞球数を２桁表示するか、または初期状態”００”を表示する（ＪＯＢ＿Ｇ）。
　【００９０】
　ＬＥＤ表示部（９０）には各スイッチＳＷ１，２，３，４及びソレノイドＳＯＬ１，２，３の状態を表示することができ、表示状態を表示切替スイッチＳ２により順次切替ることができる。このとき、ＬＥＤ表示部（９０）の左側のＬＥＤが表示する”１”から”４”までの数字は各々賞球検出スイッチＳＷ１、入賞球検出スイッチＳＷ３、入賞球確認ＳＷ４に対応し、右側のＬＥＤが表示する”０”または”１”の数字は球の有無を示す。例えば、ＬＥＤ表示部（９０）が”３１”を示しているときの意味は、入賞球検出スイッチＳＷ３が球を検出して”Ｈ”レベル信号を出していることを意味する。また、左側のＬＥＤが表示する”５”から”７”の数字は各々賞球払出ソレノイドＳＯＬ１、入賞球ソレノイドＳＯＬ２、上皿ソレノイドＳＯＬ３に対応し、右側のＬＥＤが示す”０”は吸状態を、”１”は突状態を意味している。例えば、”６０”は入賞球ソレノイドＳＯＬ２が吸状態にあることを示している（ＪＯＢ＿Ｇ）。
　【００９１】
　図３６は本発明に係るパチンコ機１における入賞球処理と賞球払出処理の他の実施形態を示すフローチャートの一部であり、図３７はその信号の系統図である。そして、この実施形態によれば、入賞球を感知したときに、枠制御回路から遊技盤制御回路へ出力される前記実施形態における賞球問合わせ信号（ＩＮＱ信号）を省略することができる。
　【００９２】
　即ち、この実施形態においては入賞球処理装置４９に設けた入賞球確認スイッチＳＳＷ（符号１３５：前記実施形態におけるＳＷ４と同じもの）からの信号を図３８の概略結線図に示すように、遊技盤制御回路に入力するものである。このような変更を実施する場合であっても、配線経路を大幅に変更することなく、各中継基板のコネクタ端子を変更することにより極めて容易に行うことが可能であり、広範なパチンコ機に適用することができる。
　【００９３】
　次に、この実施形態における賞球動作を図３９のタイミングチャート等を参照して簡単に説明する。入賞球検出スイッチＳＷ３（１３４）が入賞球を検出してオンすると、賞球表示灯Ｌ１が点灯し、入賞球ソレノイドＳＯＬ２（１３７）を突方向へ５０ｍｓ駆動する。この時、入賞球は入賞球検出スイッチＳＷ３の位置から入賞球確認スイッチＳＳＷの位置に移動する。入賞球確認スイッチＳＳＷが入賞球を検出すると、遊技盤制御回路は枠制御回路に対してＲＥＡＤＹ信号（待機信号）と当該ＲＥＡＤＹ信号に同期するＳＰＵＬＳＥ信号（賞球数信号）を送信する。そして、枠制御回路は上記ＳＰＵＬＳＥ信号に基づいて賞球個数を決定し、この賞球個数をＬＥＤ表示部（９０）に表示する。
　【００９４】
　そして、枠制御回路は賞球検出スイッチＳＷ１（１０３）が連続して例えば５００ｍｓ以上”Ｈ”であることにより賞球樋に球があることを確認後、賞球払出ソレノイドＳＯＬ１を突方向へ駆動へ５０ｍｓ駆動し、賞球の払出を開始する。
　【００９５】
　賞球個数を賞球計数検出スイッチＳＷ２が読取り、ＳＰＵＬＳＥ信号による個数と一致すると賞球払出ソレノイドＳＯＬ１を吸方向に５０ｍｓ駆動し、賞球の払出を停止する。また、これと同時に入賞球ソレノイドＳＯＬ２を吸方向に５０ｍｓ駆動して入賞球を排出し、更に賞球表示灯Ｌ１を消灯して賞球動作を終了する。尚、賞球検出スイッチＳＷ１が５００ｍｓ以上連続して”Ｈ”の状態を検出しないと賞球の払出を行わず、この状態が３秒以上継続すると、賞球動作を中断して条件が整うまでＬＥＤ表示部（９０）に”Ｅ１”を表示する。そして、賞球検出スイッチＳＷ１が５００ｍｓ連続して”Ｈ”となれば、エラーを解除して賞球動作を再開する。
　【００９６】
　上記のような入賞球の処理によっても賞球の払出を確実且つ正確に実行することができる。
　【００９７】
　以上本発明を図面の実施形態について説明したが、本発明は上記した実施形態に限定されるものではなく、特許請求の範囲に記載した構成を変更しない限り適宜に実施できる。
　【００９８】
　【発明の効果】
　以上要するに本発明は、請求項１に記載した発明は、外枠に前枠を蝶着すると共に、該前枠の裏面側に少なくとも上タンク及び賞球払出装置を備えた機構枠体を設け、
前記前枠に対して
し、前記遊技盤の裏面に設けられて内部を透視可能なように透明な合成樹脂のケース内に設けられた
配線通過口
【図面の簡単な説明】
　【図１】
　パチンコ機の正面図である。
　【図２】
　パチンコ機の背面図である。
　【図３】
　パチンコ機において機構枠セット部材の一部を欠截した状態の背面図である。
　【図４】
　パチンコ機において機構枠セット部材を開放した状態の背面図である。
　【図５】
　遊技盤の背面図である。
　【図６】
　整流樋ユニットを示し、（Ａ）は平面図、（Ｂ）は正面図である。
　【図７】
　整流樋ユニットの固定側部材を示し、（Ａ）はＡ−Ａ線端面図、（Ｂ）はＢ−Ｂ線端面図、（Ｃ）はＣ−Ｃ線端面図、（Ｄ）は平面図、（Ｅ）は正面図である。
　【図８】
　整流樋ユニットの可動側部材を示し、（Ａ）はＡ−Ａ線端面図、（Ｂ）はＢ−Ｂ線端面図、（Ｃ）は平面図、（Ｄ）は正面図である。
　【図９】
　ベース本体に上タンク、下タンク、本体端子板を取り付けた状態を示す背面図である。
　【図１０】
　上タンクの平面図である。
　【図１１】
　上タンクの分解斜視図である。
　【図１２】
　図１０のＡ−Ａ線断面図である。
　【図１３】
　図１０のＢ−Ｂ線断面図である。
　【図１４】
　図１０のＣ−Ｃ線断面図である。
　【図１５】
　完了基板の部品配置図である。
　【図１６】
　完了基板の配線図である。
　【図１７】
　本体端子基板周辺の縦断面図である。
　【図１８】
　本体端子板のカバーを示し、（Ａ）は平面図、（Ｂ）は左側面図、（Ｃ）は正面図である。
　【図１９】
　本体端子板の部品配置図である。
　【図２０】
　本体端子板の配線図である。
　【図２１】
　枠制御回路のブロック図である。
　【図２２】
　枠制御基板の部品配置図である。
　【図２３】
　賞球払出装置を示し、（Ａ）は背面図、（Ｂ）は縦断面図、（Ｃ）は正面図である。
　【図２４】
　払出停止機構の正面図である。
　【図２５】
　払出停止機構の縦断面図である。
　【図２６】
　入賞球処理装置を設けたベース板の背面図である。
　【図２７】
　入賞球処理装置の第１の動作状態を説明する端面図である。
　【図２８】
　入賞球処理装置の第２の動作状態を説明する端面図である。
　【図２９】
　遊技盤制御ボックスを中継手段を介して遊技盤の裏面側に設けた状態の一部欠截断面図である。
　【図３０】
　同上の横断面図である。
　【図３１】
　中継手段を示し、（Ａ）は基枠部材の正面図、（Ｂ）は役物中継基板を添設した添設板を基枠部材に取り付けた状態の正面図、（Ｃ）は役物中継基板を添設した添設板を基枠部材に取り付けた状態の縦断面図である。
　【図３２】
　遊技盤制御ボックスを示し、（Ａ）は正面図、（Ｂ）は縦断面図、（Ｃ）は背面図である。
　【図３３】
　パチンコ機における各基板の結線図である。
　【図３４】
　枠制御回路のフローチャートである。
　【図３５】
　賞球動作のタイミングチャートである。
　【図３６】
　他の実施形態のフローチャートの一部である。
　【図３７】
　他の実施形態における信号の系統図である。
　【図３８】
　他の実施形態の概略結線図である。
　【図３９】
　他の実施形態における賞球動作のタイミングチャートである。
　【符号の説明】
　　１　パチンコ機
　　２　前枠
　　３　外枠
　１５　遊技盤
　３８　本体端子板
　３９　中継端子板
　４７　リヤカバー
　５１　遊技盤制御回路を収納した遊技盤制御ボックス
　６０　枠制御回路を収納した枠制御ボックス
　８０　カバー
　ＣＮ９　スピーカ端子
　ＣＮ１０　トップランプ端子